(57)【要約】  【課題】液晶表示装置の厚みの増加、または液晶表示装置の表示特性の劣化を抑えつつ、光学素子の剛性不足を改善することができる光学素子包装体、ならびにそれを備えるバックライトおよび液晶表示装置を提供する。  【解決手段】包装体は、支持体と、熱収縮性を有する包装部材とを備える。支持体は、光源からの光が入射する入射面と、該入射面から入射した光を出射する出射面と、入射面と出射面との間に位置する端面とを有する。包括部材が、支持体と密着するとともに、支持体の出射面、入射面、および全ての端面を包んでいる。包装部材は、支持体に入射する光が透過する第１の領域と、支持体から出射される光が透過する第２の領域とを有し、第１の領域および第２の領域の少なくとも一方に光学機能を備える。包括部材は開口部を有し、該開口部は少なくとも支持体の角部または辺部に設けられている。【選択図】図１
2008250327.tif 000002
【特許請求の範囲】
【請求項１】
板状の支持体と、
上記支持体を包む、熱収縮性を有する包装部材と
を備え、
上記支持体は、光源からの光が入射する入射面と、該入射面から入射した光を出射する出射面と、上記入射面と上記出射面との間に位置する端面とを有し、
上記包括部材が、上記支持体と密着するとともに、上記支持体の出射面、入射面、および全ての端面を包み、
上記包装部材は、
上記支持体に入射する光が透過する第１の領域と、
上記支持体から出射される光が透過する第２の領域と
を有し、
上記第１の領域および上記第２の領域の少なくとも一方に光学機能を備え、
上記包括部材は開口部を有し、該開口部は少なくとも上記支持体の角部または辺部に設けられている包装体。
【請求項２】
上記第１の領域および第２の領域の両面の少なくとも一方に上記光学機能を備える請求項１記載の包装体。
【請求項３】
上記光学機能は、光源側に備えられている請求項１記載の包装体。
【請求項４】
上記光学機能は、光拡散機能、光集光機能、反射型偏光機能、偏光子機能および光分割機能の少なくとも１種である請求項１記載の包装体。
【請求項５】
光を出射する光源と、
上記光源から出射された光が透過する包装体と
を備え、
上記包装体は、
板状の支持体と、
上記支持体を包む、熱収縮性を有する包装部材と
を備え、
上記支持体は、上記光源からの光が入射する入射面と、該入射面から入射した光を出射する出射面と、上記入射面と上記出射面との間に位置する端面とを有し、
上記包括部材が、上記支持体と密着するとともに、上記支持体の出射面、入射面、および全ての端面を包み、
上記包装部材は、
上記支持体に入射する光が透過する第１の領域と、
上記支持体から出射される光が透過する第２の領域と
を有し、
上記第１の領域および上記第２の領域の少なくとも一方に光学機能を備え、
上記包括部材は開口部を有し、該開口部は少なくとも上記支持体の角部または辺部に設けられているバックライト。
【請求項６】
上記包装部材の外側に隣接される、フィルム状またはシート状の光学素子をさらに備える請求項５記載のバックライト。
【請求項７】
光を出射する光源と、
上記光源から出射された光が透過する包装体と、
上記包装体を透過した光に基づき、画像を表示する液晶パネルと
を備え、
上記包装体は、
板状の支持体と、
上記支持体を包む、熱収縮性を有する包装部材と
を備え、
上記支持体は、上記光源からの光が入射する入射面と、該入射面から入射した光を出射する出射面と、上記入射面と上記出射面との間に位置する端面とを有し、
上記包括部材が、上記支持体と密着するとともに、上記支持体の出射面、入射面、および全ての端面を包み、
上記包装部材は、
上記支持体に入射する光が透過する第１の領域と、
上記支持体から出射される光が透過する第２の領域と
を有し、
上記第１の領域および上記第２の領域の少なくとも一方に光学機能を備え、
上記包括部材は開口部を有し、該開口部は少なくとも上記支持体の角部または辺部に設けられている液晶表示装置。
【請求項８】
熱収縮性を有する包装部材により板状の支持体を包む第１の工程と、
上記包装部材を熱処理することにより上記包装部材をシュリンクさせて、上記包括部材と上記支持体とを密着させる第２の工程と
を備え、
上記支持体は、光源からの光が入射する入射面、該入射面から入射した光を出射する出射面、および上記入射面と上記出射面との間に位置する面を端面とを有し、
上記第１の工程では、上記支持体の入射面、出射面、およびすべての端面を包装部材により閉ざし、
上記第２の工程では、上記支持体の角部または辺部を上記包装部材の開口部から露出させる包装体の製造方法。
【発明の詳細な説明】
【技術分野】
【０００１】
この発明は、包装体およびその製造方法、それを備えるバックライト、ならびに液晶表示装置に関する。詳しくは、液晶表示装置の表示特性を改善する光学素子包装体に関する。
【背景技術】
【０００２】
従来、液晶表示装置では、視野角や輝度などの改善を目的として多数の光学素子が用いられている。これらの光学素子としては、拡散フィルムやプリズムシートなどのフィルム状やシート状のものが用いられている。
【０００３】
図３１は、従来の液晶表示装置の構成を示す。この液晶表示装置は、図３１に示すように、光を出射する照明装置１０１と、照明装置１０１から出射された光を拡散する拡散板１０２と、拡散板１０２により拡散された光を集光や拡散などする複数の光学素子１０３と、液晶パネル１０４とを備える。
【０００４】
ところで、近年の画像表示装置の大型化に伴って、光学素子の自重やサイズが増大する傾向にある。このように光学素子の自重やサイズが増大すると、光学素子の剛性が不足するため、光学素子の変形、例えばしわ、たわみ、反りなどが発生してしまう。このような光学素子の変形は、表示面への光学指向性に影響を与え、輝度ムラという重大な問題を招いてしまう。
【０００５】
そこで、光学素子の厚さを増すことで、光学素子の剛性不足を改善することが提案されている。しかしながら、液晶表示装置が厚くなってしまい、薄型かつ軽量という液晶表示装置の利点が損なわれてしまう。そこで、光学素子同士を透明粘着剤により貼り合わせることにより、シート状またはフォルム状の光学素子の剛性不足を改善することが提案されている（例えば特許文献１参照）。
【０００６】
また、近年の表示装置の適用範囲が広がることによって、壁掛けや天井付近への設置のために、より薄型・軽量化された提案がされている。この薄型・軽量化に対しては、蛍光管らの光源ムラを均一化する拡散機能が伴わないために、拡散板を厚くしたり、拡散シートを複数枚と従来以上のシート数を使用したり、更には光源数を増加させて光源ムラを低減させる手法などが検討されている。
【０００７】
【特許文献１】特開２００５−３０１１４７号公報
【発明の開示】
【発明が解決しようとする課題】
【０００８】
しかしながら、特許文献１の技術では、光学素子同士を透明粘着剤により貼り合わせるため、光学素子の厚さが増し、液晶表示装置自体が厚くなってしまう。更には、液晶表示装置に必須である光学機能を発現させるには、粘着剤を使用することによって、集光機能層、拡散機能層らと隣接する光学機能層との構造体間が埋設されてしまい、その結果、光学機能が損なわれ、表示特性が劣化してしまう。
【０００９】
また、光源ムラを低減させるために拡散機能部材を多数利用すると、部材数の増加に伴い費用が高価となってしまったり、多数の拡散機能部材の増加に伴い輝度の低下を招いてしまう虞もある。光源部材を多数利用する場合には光源ムラに対して効果はあるものの、これも部材数の増加に伴う費用の増加や、消費電力が増加してしまう。
【００１０】
したがって、この発明の目的は、液晶表示装置の厚みの増加、または液晶表示装置の表示特性の劣化を抑えつつ、光学素子の剛性不足を改善することができる包装体およびその製造方法、それを備えるバックライト、ならびに液晶表示装置を提供することにある。
【００１１】
また、この発明の他の目的は、拡散性の光学素子の増加や、光源の増加による部品増による重量・費用の増加を抑えつつ、表示装置の薄型・軽量化ができる包装体およびその製造方法、それを備えるバックライト、ならびに液晶表示装置を提供することにある。
【課題を解決するための手段】
【００１２】
上述の課題を解決するために、この発明の第１の発明は、
板状の支持体と、
支持体を包む、熱収縮性を有する包装部材と
を備え、
支持体は、光源からの光が入射する入射面と、該入射面から入射した光を出射する出射面と、入射面と出射面との間に位置する端面とを有し、
包括部材が、支持体と密着するとともに、支持体の出射面、入射面、および全ての端面を包み、
包装部材は、
支持体に入射する光が透過する第１の領域と、
支持体から出射される光が透過する第２の領域と
を有し、
第１の領域および第２の領域の少なくとも一方に光学機能を備え、
包括部材は開口部を有し、該開口部は少なくとも支持体の角部または辺部に設けられている包装体である。
【００１３】
また、この発明の第２の発明は、
光を出射する光源と、
光源から出射された光が透過する包装体と
を備え、
包装体は、
板状の支持体と、
支持体を包む、熱収縮性を有する包装部材と
を備え、
支持体は、光源からの光が入射する入射面と、該入射面から入射した光を出射する出射面と、入射面と出射面との間に位置する端面とを有し、
包括部材が、支持体と密着するとともに、支持体の出射面、入射面、および全ての端面を包み、
包装部材は、
支持体に入射する光が透過する第１の領域と、
支持体から出射される光が透過する第２の領域と
を有し、
第１の領域および第２の領域の少なくとも一方に光学機能を備え、
包括部材は開口部を有し、該開口部は少なくとも支持体の角部または辺部に設けられているバックライトである。
【００１４】
また、この発明の第３の発明は、
光を出射する光源と、
光源から出射された光が透過する包装体と、
包装体を透過した光に基づき、画像を表示する液晶パネルと
を備え、
包装体は、
板状の支持体と、
支持体を包む、熱収縮性を有する包装部材と
を備え、
支持体は、光源からの光が入射する入射面と、該入射面から入射した光を出射する出射面と、入射面と出射面との間に位置する端面とを有し、
包括部材が、支持体と密着するとともに、支持体の出射面、入射面、および全ての端面を包み、
包装部材は、
支持体に入射する光が透過する第１の領域と、
支持体から出射される光が透過する第２の領域と
を有し、
第１の領域および第２の領域の少なくとも一方に光学機能を備え、
包括部材は開口部を有し、該開口部は少なくとも支持体の角部または辺部に設けられている液晶表示装置である。
【００１５】
この発明の第４の発明は、
熱収縮性を有する包装部材により板状の支持体を包む第１の工程と、
包装部材を熱処理することにより包装部材をシュリンクさせて、包括部材と支持体とを密着させる第２の工程と
を備え、
支持体は、光源からの光が入射する入射面、該入射面から入射した光を出射する出射面、および入射面と出射面との間に位置する面を端面とを有し、
第１の工程では、支持体の入射面、出射面、およびすべての端面を包装部材により閉ざし、
第２の工程では、支持体の角部または辺部を包装部材の開口部から露出させる包装体の製造方法である。
【００１６】
この発明では、１または２以上の光学素子と支持体とを包装部材により包んでいるので、１または２以上の光学素子と支持体とを一体化することができる。もしくは、包装部材の一方或いは両面に光学機能を設けた光学素子包装部材で支持体を包装・一体化することができる。したがって、支持体により光学素子の剛性不足を補うことができ、更には、光学機能を包装部材の表面に設けることによって、光学素子を簡略化することも可能である。更には、包装体自体にテンションを持たせることによって、包装部材がたわまずに設置することが可能となり、包装部材に設けられた光学素子のたわみを防止することが可能となる。
【発明の効果】
【００１７】
以上説明したように、この発明によれば、液晶表示装置の厚みの増加、または液晶表示装置の表示特性の劣化を抑えつつ、光学素子の変形および剛性不足を改善することができる。更には、光学機能を包装部材にて補うことにより、従来の光学フィルムより厚みを薄くでき、たわみのない構成を提供できる。
【発明を実施するための最良の形態】
【００１８】
以下、この発明の実施形態について図面を参照しながら説明する。なお、以下の実施形態の全図においては、同一または対応する部分には同一の符号を付す。
【００１９】
（１）第１の実施形態
（１−１）液晶表示装置の構成
図３２は、この発明の第１の実施形態による液晶表示装置の一構成例を示す。この液晶表示装置は、図３２に示すように、光を出射する照明装置１と、照明装置１から出射された光の特性を改善する光学素子包装体２と、光学素子包装体２により特性が改善された光に基づき、画像を表示する液晶パネル３とを備える。照明装置１と光学素子包装体２とによりバックライトが構成される。以下では、光学素子包装体２などの光学部材の面のうち、照明装置１からの光が入射する面を入射面、この入射面から入射した光を出射する面を出射面、および入射面と出射面との間に位置する面を端面と称する。また、入射面と出射面とを総称して主面と適宜称する。
【００２０】
照明装置１は、例えば直下式の照明装置であり、光を出射する光源１１と、光源１１から出射された光を反射して液晶パネル３の方向に向ける反射板１２とを備える。光源１１としては、例えば、冷陰極蛍光管（ＣＣＦＬ：Cold Cathode Fluorescent Lamp）、熱陰極蛍光管（ＨＣＦＬ:Hot Cathode Fluorescent Lamp）、有機エレクトロルミネッセンス（ＯＥＬ：Organic ElectroLuminescence）または発光ダイオード(ＬＥＤ：Light Emitting Diode)、無機エレクトロルミネッセンス（ＩＥＬ：Inorganic ElectroLuminescence）などを用いることができる。反射板１２は、例えば１または複数の光源１１の下方および側方を覆うように設けられ、１または複数の光源１１から下方および側方などに出射された光を反射して、液晶パネル３の方向に向けるためのものである。
【００２１】
光学素子包装体２は、例えば、照明装置１から出射された光を拡散や集光などの処理を施して光の特性を変える１または複数の光学素子２４と、１または複数の光学素子を支持する支持体２３と、１または複数の光学素子２４と支持体２３とを包んで一体化する包装部材２２を備える。以下では、支持体２３と１または複数の光学素子とを重ね合わされたものを光学素子積層体２１と称する。包装部材２２は、光学素子積層体２１に入射する光が透過する第１の領域Ｒ1と、光学素子積層体２１から出射される光が透過する第２の領域Ｒ2とを有する。
【００２２】
光学素子２４の数や種類は、特に限定されるのもではなく、所望とする液晶表示装置の特性に応じて適宜選択することができる。光学素子２４としては、例えば少なくとも支持体として作用する光学機能を有する素子、或いは支持体と１または複数の光学機能を有する素子からなるものを用いることができる。光学素子２４としては、例えば光拡散素子、光集光素子、反射型偏光子、偏光子または光分割素子などを用いることができる。光学素子としては、例えば、フィルム状、シート状または板状のものを用いることができる。光学素子２４の厚さは、例えば５〜１０００μｍである。
【００２３】
支持体２３は、例えば、照明装置１から出射された光を透過する透明板、または照明装置１から出射された光を拡散や集光などの処理を施して光の特性を変える光学板である。光学板としては、例えば拡散板、位相差板またはプリズム板などを用いることができる。支持体２３の厚さは、好ましくは５００〜１０００００μｍ、より好ましくは１０００〜５００００μｍである。支持体２３の厚み、断面幅、長さ、および剛性（弾性率）は、包装部材２２の張力を考慮して適宜選択することが好ましい。
【００２４】
張力の有無の確認と張力の測定については例えば以下のような手段で確認できる。
セイコー社製のＴＭＡ（熱・応力・歪測定装置 EXSTAR6000 TMA/SS）を用いて、以下のようにして包括部材の張力を測定する。
まず、包括部材に張力が加わった状態において、光学素子包括体の中央部から長方形の金型により５ｍｍ×５０ｍｍの試験片を切り出す。この際、試験片の長辺、短辺がそれぞれ支持体である拡散板の長辺と、短辺と平行となるようにして試験片を切り出す。次に、硝子板に試験片を挟んでたるみのない状態とした後、トプコン社製の工具顕微鏡により長さを測定する。切り出した試験片は張力が開放された状態となっているため、５０ｍｍよりも収縮した状態となっている。この収縮状態から、最初の５０ｍｍの状態へ戻すように寸法換算して、ＴＭＡ用に試験片を再カットしてセットする。次に、初期の温度２５℃時点での張力を測定する。張力の測定機については、所定の長さへの引っ張り応力を加えられて、応力測定ができるものであれば使用可能であり、張力の有無が確認できる。
【００２５】
具体的には、支持体２３としては、バックライトが直下型のものである場合、対角２インチ〜１００インチ程度、厚み１ｍｍ〜４ｍｍのサイズを有する、拡散性フィラーが内添された樹脂板、または拡散性の機能を有する形状や、フィラーを含む層をガラス表面に設けた拡散性の光学板を使用できる。また、バックライトがサイドライト型のものである場合、対角１インチ〜数１０インチ、厚み０．５〜１０ｍｍ程度のサイズを有する透明樹脂板、フィラーが内添された樹脂板、表面に形状が付与された樹脂板、フィラーが内添されると共に表面に形状が付与された樹脂板を使用できる。
【００２６】
また、液晶表示装置を４０℃の高温環境下に保存したときに、液晶表示装置点灯時の装置内温度が約６０℃まで上昇する（後述する実施例１参照）ことと、実際の液晶テレビなどでは、７０℃で偏光板が劣化することを回避するために温度上昇抑制機能を設けていることを考慮すると、支持体２３としては、７０℃まで剛性の変動が小さく、かつ、ある程度の弾性を有しているものが好ましい。このような特性を有する支持体２３の材料としては、例えば、ポリカーボネート（弾性率２．１ＧＰａ）、ポリスチレン（弾性率２．８ＧＰａ）、シクロオレフィン樹脂としてゼオノア樹脂（弾性率２．１ＧＰａ）、アクリル系樹脂（弾性率３ＧＰａ）などを主成分とするものが挙げられ、これらの材料のうちで最も弾性率の低い、ポリカーボネート樹脂の弾性率以上（２．１ＧＰａ以上）の弾性率を有する材料を主成分とするものが好ましい。
【００２７】
支持体２３は、例えば高分子材料からなり、その透過率は３０％以上であることが好ましい。なお、光学素子２４と支持体２３との積層の順序は、例えば、光学素子２４および支持体２３の有する機能に応じて選ばれる。例えば、支持体２３が拡散板である場合、支持体２３は、照明装置１からの光が入射する側に設けられ、支持体２３が反射型偏光板である場合、支持体２３は、液晶パネル３に光を出射する側に設けられる。また、支持体２３となる透明板や拡散板よりも光源側に光分割や拡散機能を有する光機能層を設ける形態などの組み合わせや、透明板や拡散板から出射後に更に光拡散機能層を設けたり、光集光機能層を組み合わせて使用してもよい。光学素子２４および支持体２３の入射面および出射面の形状は、液晶パネル３の形状に応じて選ばれ、例えば縦横比（アスペクト比）の異なる矩形状である。
【００２８】
光学素子２４および支持体２３の主面には、凹凸処理を施すこと、または微少粒子を含有させることが好ましい。こすれや摩擦を低減できるからである。また、光学素子２４および支持体２３には、必要に応じて光安定剤、紫外線吸収剤、帯電防止剤、難燃剤および酸化防止剤などの添加剤を含有させることにより、紫外線吸収機能、赤外線吸収機能および静電抑制機能などを光学素子２４および支持体２３に付与するようにしてもよい。また、光学素子２４および支持体２３には、アンチリフレクション処理（ＡＲ処理）やアンチグレア処理（ＡＧ処理）などの表面処理を施すことにより、反射光の拡散や反射光そのもの低減を図るようにしてもよい。また、光学素子２４および支持体２３の表面に、紫外線や赤外線を反射するための機能を持たせるようにしてもよい。
【００２９】
包装部材２２は、光学素子積層体２１のほぼ全体を覆っている。包装部材２２は、１または複数の開口を有する。このような開口を有することにより、光学素子積層体２１を包装部材２２により包むときなどに、包装部材２２内のエアを外部に排出し、光学素子積層体２１と包装部材２２とを密着させることで、画像不良の発生を抑制することができる。また、このような開口を有することにより、包装部材２２により包まれた支持体２３や光学素子２４の構成材料が揮発したときに、この揮発成分を光学素子包装体２の外部に排出し、包装部材２２内における揮発成分の結露や凝固などを抑制することで、画像不良の発生を抑制することができる。包装部材２２に複数の開口を設ける場合には、光学素子積層体２１の端面のうち、対向する端面またはその近傍に開口をそれぞれ設けることが好ましい。上記揮発成分を光学素子包装体２の外部に効率良く排出し、包装部材２２内における揮発成分の結露や凝固などをより抑制することで、画像不良の発生をより抑制することができるからである。
【００３０】
開口は、光学素子積層体２１の表示エリア外に対応する位置に設けることが好ましく、光学素子積層体２１の端面またはその近傍に対応する位置に設けることがより好ましい。このような位置に開口を設けることで、開口による画質低下を防ぐことができる。光学素子積層体２１が角部を有する場合には、光学素子積層体２１の角部に対応する部分に開口を設け、この開口から角部を露出させることが好ましい。具体的には、光学素子積層体２１が全体として矩形状を有する場合、包装部材２２は光学素子積層体２１の４つの角部に対応する位置にそれぞれ開口を設け、この開口から光学素子積層体２１の角部をそれぞれ露出させることが好ましい。開口のサイズや形状は、光学素子包装体２の作製工程におけるエアの排出性能、光学素子積層体２１の形状、および包装部材２２の耐久性などを考慮して選択することが好ましく、例えば、円形状、楕円形状、半円形状、三角形状、四角形状、菱形形状、スリット状などが挙げられるが、これらの形状に限定されるものではない。
【００３１】
包装部材２２は、例えば透明性を有する単層または複数層のフィルム状、シート状もしくは袋状である。包装部材２２は、例えば、１または複数の包装部材を備え、この包装部材の周縁部を接合することにより構成されている。包装部材を接合する位置は、光学素子積層２１の表示エリア外に設けることが好ましく、光学素子積層体２１の端面に設けることがより好ましい。
【００３２】
包装部材２２の厚さは、例えば５〜５０００μｍに選ばれる。なお、包装部材２２の厚さが、入射面側と出射面側とで異なるようにしてもよく、この場合、入射面側の厚さが出射面側の厚さに比べて厚いことが好ましい。入射面側の厚さを厚くすることで、光源１１から発生される熱による支持体２３や光学素子２４の形状変化を抑制できるからである。
但し、目的によって、出射面側の厚さを入射面側の厚さに比べて厚くするようにしてもよい。また、包装部材２２は、光学素子積層体２１の主面を、面積比率で５０％以上覆っていることが好ましく、画面表示域を覆っているか、あるいは画面表示域主面の一方または両方を開放していることが好ましい。また、包装部材２２が、骨材としての構造体を内包するようにしてもよい。包装部材２２は、例えば１軸異方性または２軸異方性を有する。例えば、包装部材２２が矩形状を有する場合、包装部材２２の長手方向に正または負の屈折率特性にて１軸異方性を有し、もしくは包装部材２２の長手方向に正または負の屈折率にて２軸異方性を有する。
【００３３】
また、包装部材２２が異方性を有する場合には、その光学異方性は小さいことが好ましく、具体的にはそのリタデーション（retardation）が、５０ｎｍ以下であることが好ましい。もしくは、光学異方性の光学軸が内包部材の長手或いは短軸に対して同調している場合には、そのリタデーションは５０ｎｍ以下に限定されず、視野角による色特性などが使用用途によって満足されればよい。更には、拡散機能を包装部材２２の出射側に設けるか、第１の領域Ｒ1の主面を通過した際に、拡散性を有する機能が設けられた包装部材２２とすること、或いは、光学素子包装体２の出射側に拡散性を有するなどの光学機能を設けることによって、包装部材２２の異方性を限定することなく使用が可能である。
【００３４】
包装部材２２としては、１軸延伸もしくは２軸逐次或いは同時延伸のシートまたはフィルムを用いることが好ましい。このようなシートまたはフィルムを用いた場合、熱を加えることにより包装部材２２を延伸方向に収縮させることができるので、包装部材２２と光学素子積層体２１との密着性を高めることができる。また、包装部材２２としては、伸張性を示すフィルムやシートを用いて、伸縮させて包括したい方向を主に伸張させた後に、内包物を伸張性を示すフィルムやシートで挟み込んで内包物の周囲を接着や溶着によって接合した後に、伸張性フィルムやシートのテンションを開放して、内包された支持体、或いは／及び光学素子との密着性を高めることができる。
【００３５】
包装部材２２の材料としては、好ましくは熱収縮性を有する高分子材料、より好ましくは常温から８５℃までの熱付与により収縮する高分子材料を用いることができる。熱収縮性を有する高分子材料としては、例えば、ポリエチレン（ＰＥ）およびポリプロピレン（ＰＰ）などのポリオレフィン系樹脂、ポリエチレンテレフタレート（ＰＥＴ）およびポリエチレンナフタレート（ＰＥＮ）などのポリエステル系樹脂、ポリスチレン（ＰＳ）およびポリビニルアルコール（ＰＶＡ）などのビニル結合系、ポリカーボネート（ＰＣ）系樹脂、シクロオレフィン系樹脂、ウレタン系樹脂、塩化ビニル系樹脂、天然ゴム系樹脂、ならびに人工ゴム系樹脂などを単独または混合して用いることができる。
【００３６】
包装部材２２の熱収縮率は、好ましくは０．２％以上、より好ましくは５％以上、さらにより好ましくは１０％以上、最も好ましくは２０％以上である。この数値範囲にすることで、包装部材２２と光学素子積層体２１との密着性を高めることができるからである。包装部材２２の熱変形温度は、８０℃以上、望ましくは９０℃以上であることが好ましい。光源１１から発生される熱により光学素子包装体２の光学特性が低下することを抑制できるからである。包装部材２２の材料の乾燥減量は、２％以下であることが好ましい。包装部材２２の材料の屈折率（包装部材２２の屈折率）は、光線透過率を得るために界面反射ロスを減らす目的の場合には好ましくは１．６以下、より好ましくは１．５５以下であり、集光効果、光分割効果などの光学機能要素を付加させる場合には、１．４５以上が好ましくは１．５以上が望ましい。
【００３７】
包装部材２２は、表面の耐傷性、或いは液晶表示装置の表示パネルへの密着防止、或いは、内添された光学素子、支持体への貼り付き防止、または、直下型光源と光学素子との隙間を規制するためのピン（スタッド）との輸送などの振動時の擦れ傷防止などの目的のために、１種または２種以上のフィラーを含有していることが好ましい。
【００３８】
また、拡散性の光学機能として包装部材２２に機能付与をすることを目的として、フィラーを包装部材２２の全体、或いは一方の表面層、或いは両方の表面層、或いは表面層と一方の面、および／または両方の面のどちらかにフィラーが内添されていてもよく、内添された粒子が表層近傍に存在していてもよい。
【００３９】
これら、包装部材２２へのフィラーの内添以外にも、包装部材２２への表層へ樹脂と粒子の混合物を成形されるか、或いは包装部材２２の表層へ樹脂と粒子と溶媒による塗料を塗布・溶媒乾燥してフィラーを合有させる方法、フィラーが合有されたエネルギー硬化システム（ＵＶ硬化、可視光硬化、電子線硬化など）を用いて成膜・成形させる方法、或いは前述のようにして作製されたフィラー合有層に転写させる方法などが挙げられる。
【００４０】
フィラーとしては、例えば有機フィラーおよび無機フィラーの少なくとも１種を用いることができる。有機フィラーの材料としては、例えばアクリル樹脂、スチレン樹脂、フッ素および空洞からなる群より選ばれる１種または２種以上を用いることができる。無機フィラーとしては、例えばシリカ、アルミナ、タルク、酸化チタンおよび硫酸バリウムからなる群より選ばれる１種または２種以上を用いることができる。これら有機、無機フィラーは単独でも両方でも用いることができる。フィラーの形状は、例えば針状、球形状、楕円体状、板状、鱗片状などの種々の形状を用いることができる。フィラーの径としては、例えば１種または２種以上の径が選ばれる。
【００４１】
また、前述の包装部材２２にフィラーを合有させるのと同様の目的で、包装部材２２に形状付与を施してもよい。例えば、熱可塑性樹脂の包装部材２２の一方の面、および／または両面に対して熱ラミネートや、エンボスなどの操作により形状を付与させることも可能である。形状の付与を施した後に延伸・熱固定して熱シュリンク性のフィルムを得たり、熱シュリンク性のフィルムへ熱ラミネート或いはエンボスなどの操作により形状を付与させたフィルムを得てもよい。
【００４２】
上述のような熱成形・機械的エンボス成形、フィルム内添型成形、エネルギー硬化性樹脂などの方法によって形状を付与することができるようになり、光入射側及び出射側の主面の一方、および／または両方の面に対して集光、拡散、光分割などの光制御手段を設けることが可能である。
【００４３】
例えば、包装部材２２の光出射側にレンズ形状を付与することにより輝度向上効果が得られ、同様に拡散機能形状を設けることによって、光源ムラ消し効果、マイクロレンズ形状によって集光機能の効果を得られる。また、光源側の包装部材２２にもレンズ形状や拡散機能を付与することにより、光源ムラの低減効果を得ることも可能となる。
【００４４】
包装部材２２に光学機能を設ける場合には、光学機能の目的によって光入射側の主面と、光出射側の主面の少なくとも一方に設けることが可能であり、各々の光学機能が異なっており、異なる機能を設けても良い。例えば、透明、光集光、光拡散、光分割らを組み合わせても、単独で使用しても良い。これらは、内包される光学機能と同じ機能を使用してもよく、使用用途によって選択される。
【００４５】
また、包装部材２２には、必要に応じて光安定剤、紫外線吸収剤、帯電防止剤、難燃剤および酸化防止剤などの添加剤をさらに含有させて、紫外線吸収機能、赤外線吸収機能および静電抑制機能などを包装部材２２に付与するようにしてもよい。また、包装部材２２に、アンチグレア処理（ＡＧ処理）およびアンチリフレクション処理（ＡＲ処理）などの表面処理などを施すことにより、反射光の拡散や反射光そのもの低減などを図るようにしてもよい。さらには、ＵＶ−Ａ光（３１５〜４００ｎｍ程度）などの特定波長領域の光を透過する機能を付与してもよい。
【００４６】
包装部材２２の表面には、光学機能としての凹凸構造が形成されていてもよく、更には貼り付け防止や、耐傷性のためにうねりを含めた構造としてもよい。集光機能として例えば並列したレンズを稜線方向にうねりを加えることにより、レンズの頂部の接触が抑えられる。また、一方の面以外に、裏面にも光学機能、あるいは貼り付き防止、耐傷のための構造を設けてもよい。
【００４７】
液晶パネル３は、光源１１から供給された光を時間的空間的に変調して情報を表示するためのものである。液晶パネル３の動作モードとしては、例えば、ツイストネマチック（ＴＮ:Twisted Nematic）モード、垂直配向（ＶＡ：Vertically Aligned）モード、水平配列（ＩＰＳ:In-Plane Switching）モード、または曲がり配列（ＯＣＢ：Optically Compensated Birefringence）モードが用いられる。
【００４８】
（１−２）光学素子包装体の構成
（１−２−１）第１の構成例
次に、図３３〜３６参照して、この発明の第１の実施形態による光学素子包装体２の第１の構成例について詳しく説明する。
図３３よび図３４は、この発明の第１の実施形態による光学素子包装体の第１の構成例を示す。図３３および図３４に示すように、この光学素子包装体２は、例えば、支持体である拡散板２３ａと、光学素子である拡散フィルム２４ａ、レンズフィルム２４ｂおよび反射型偏光子２４ｃと、これらを包んで一体化する包装部材２２とを備える。ここでは、拡散板２３ａ、拡散フィルム２４ａ、レンズフィルム２４ｂおよび反射型偏光子２４ｃが光学素子積層体２１を構成する。拡散フィルム２４ａ、レンズフィルム２４ｂおよび反射型偏光子２４ｃは、拡散板２３ａの出射面側に配設されている。具体的には、拡散板２３ａの出射面側から包装部材２２の入射面側に向かって、拡散フィルム２４ａ、レンズフィルム２４ｂ、反射型偏光子２４ｃの順序で配設されている。
【００４９】
図３３に示すように、包装部材２２は、光学素子積層体２１の入射面を覆う第１の包装部材２２1と、出射面を覆う第２の包装部材２２2とを備える。第１の包装部材２２1と第２の包装部材２２2とは、例えば光学素子積層体２１の端面にて接合されている。第１の包装部材２２1および第２の包装部材２２2の形状は、包装される光学素子積層体２１の形状に応じて適宜選択される。
【００５０】
包装部材２２は、光学素子積層体２１のほぼ全体を覆っている。包装部材２２は、矩形状の光学素子積層体２１の角部に対応する位置にそれぞれ開口を有し、これらの開口から光学素子積層体２１の角部がそれぞれ露出する。
【００５１】
拡散板２３ａは、１または複数の光源１１の上方に設けられ、１または複数の光源１１からの出射光および反射板１２による反射光を拡散させて輝度を均一にするためのものである。拡散板２３ａとしては、例えば、光を拡散するための凹凸構造体を表面に備えるもの、拡散板２３ａの主構成材料とは屈折率の異なる微粒子などを含有するもの、空洞性微粒子を含有するもの、または上記凹凸構造体、微粒子および空洞性微粒子を２種以上組み合わせたものを用いることができる。微粒子としては、例えば有機フィラーおよび無機フィラーの少なくとも１種を用いることができる。また、上記凹凸構造体、微粒子および空洞性微粒子は、例えば拡散フィルム２４ａの出射面に設けられる。拡散板２３ａの光透過率は、例えば３０％以上である。
【００５２】
拡散フィルム２４ａは、拡散板２３ａ上に設けられ、拡散板にて拡散された光を拡散などするためのものである。拡散フィルム２４ａとしては、例えば、光を拡散するための凹凸構造体を表面に備えるもの、拡散フィルム２４ａの主構成材料とは屈折率の異なる微粒子などを含有するもの、空洞性微粒子を含有するもの、または上記凹凸構造体、微粒子および空洞性微粒子を２種以上組み合わせたものを用いることができる。微粒子としては、例えば有機フィラーおよび無機フィラーの少なくとも１種を用いることができる。また、上記凹凸構造体、微粒子および空洞性微粒子は、例えば拡散フィルム２４ａの出射面に設けられる。
【００５３】
レンズフィルム２４ｂは、拡散フィルム２４ａの上方に設けられ、照射光の指向性等を向上させるためのものである。レンズフィルム２４ｂの出射面には、例えば微細なプリズムレンズ列が設けられており、このプリズムレンズの列方向の断面は、例えば略三角形状を有し、その頂点に丸みを付すことが好ましい。カットオフを改善し、広視野角を改善できるからである。
【００５４】
拡散フィルム２４ａおよびレンズフィルム２４ｂは、例えば高分子材料からなり、その屈折率は例えば１．４５以上が好ましく、更に好ましくは１．５以上、最も好ましくは１．６以上である。光学素子２４またはそれに設けられる光学機能層を構成する材料としては、例えば、光もしくは電子線で硬化する電離性感光型樹脂、または熱により硬化する熱硬化型樹脂が好ましく、紫外線により硬化する紫外線硬化樹脂が好ましい。また、熱可塑性の高分子材料から作製されるタイプでもよい。
【００５５】
反射型偏光子２４ｃは、レンズフィルム上に設けられ、レンズシートにより指向性を高められた光のうち、直交する偏光成分の一方のみを通過させ、他方を反射するものである。
反射型偏光子２４ｃは、例えば有機多層膜、無機多層膜または液晶多層膜などの積層体である。また、反射型偏光子２４ｃに異屈折率体を含有させるようにしてもよい。また、反射型偏光子２４ｃに拡散機能やレンズ機能を設けてもよい。
【００５６】
ここで、図３５〜３６を参照して、包装部材２２の接合部の例について説明する。
図３５は、包装部材の接合部の第１の例を示す。この第１の例では、図３５に示すように、光学素子積層体２１の端面上にて、包装部材端部の内側面と外側面とを重ね合わせるようにして接合されている。すなわち、包装部材２２の端部が、光学素子積層体２１の端面に倣うようにして接合されている。
【００５７】
図３６は、包装部材の接合部の第２の例を示す。この第２の例では、図３６に示すように、光学素子積層体２１の端面にて、包装部材端部の内側面同士を重ね合わせるようにして接合されている。すなわち、包装部材２２の端部が、光学素子積層体２１の端面から立ち上がるようにして接合されている。
【００５８】
（１−２−２）第２の構成例
図３７は、この発明の第１の実施形態による光学素子包装体の第２の構成例を示す。この光学素子包装体の第２の構成例は、拡散板２３ａの入射面と包装部材２２の出射面との間に光制御フィルム２４ｄが配設されている点において、第１の構成例とは異なっている。光制御フィルム２４ｄは、その上面に底面と平行な平面に沿って延在する複数の柱状のプリズムが連続的に並んで配置された薄い光学シートである。各プリズムは、光学素子積層体２１の直下に複数の線状光源が並列配置される場合には、各プリズムの延在方向がその線状光源の延在方向（例えば水平方向）と互いに平行となるように並列配置されていることが好ましいが、各線状光源の延在方向に対して光学特性上許容できる範囲内で交差するように配置されていてもよい。
【００５９】
これにより、光制御フィルム２４ｄは、例えば一の線状光源から射出された光のうち底面または各プリズムの上面に臨界角未満の角度で入射した光を屈折透過する一方で、臨界角以上の角度で入射した光を全反射するので、一の線状光源がつくる光源像を各プリズムの上面を構成する面の数（厳密には傾斜角ごとに分類される面の数）に応じて複数に分割する機能を有する。つまり、この光制御フィルム２４ｄは、一の線状光源がつくる光源像を複数に分割し、分割した後の各光源像により形成される光源像同士の間隔を線状光源同士の間隔よりも狭くするので、分割した後の光源像の輝度レベル（最大値）と分割した後の光源像同士の間の輝度レベル（最小値）との差を、分割前の光源像の輝度レベル（最大値）と分割前の光源像間の輝度レベル（最小値）との差よりも小さくし、照明輝度のむらを低減することができる。
【００６０】
なお、光源像とは、光の輝度分布において、輝度のピークを示す光束を表すものであり、光源像どうしの間隔とは、輝度分布において隣り合うピーク（頂点）どうしの面内方向における間隔をいうものとする。
【００６１】
この光制御フィルム２４ｄは、透光性を有する樹脂材料、例えば熱可塑性樹脂を用いて一体的に形成されていてもよいし、また、透光性の基材、例えば、ＰＥＴ（ポリエチレンテレフタレート）上にエネルギー線（たとえば紫外線）硬化樹脂を転写して形成されていてもよい。
【００６２】
ここで、熱可塑性樹脂としては、光の出射方向を制御するという機能を考慮すると、屈折率１．４以上のものを用いることが好ましい。このような樹脂としては、例えば、ポリカーボネート樹脂、ＰＭＭＡ（ポリメチルメタクリレート樹脂）などのアクリル樹脂、ポリエチレンテレフタレートなどのポリエステル樹脂、ＭＳ（メチルメタクリレートとスチレンの共重合体）などの非晶性共重合ポリエステル樹脂、ポリスチレン樹脂およびポリ塩化ビニル樹脂などが挙げられる。
この第２の構成例において、上記以外のことは、第１の構成例と同様である。
【００６３】
（１−２−３）第３の構成例
図３８は、この発明の第１の実施形態による光学素子包装体の第３の構成例を示す。この光学素子包装体の第３の構成例は、光学素子である拡散フィルム２４ａ、レンズフィルム２４ｂ、反射型偏光子２４ｃおよび光制御フィルム２４ｄが支持体である拡散板２３ａより小さいサイズを有している点において、第２の構成例とは異なる。このようにすることで、包装部材２２の張力を主として拡散板２３に対して加えることができので、拡散フィルム２４ａ、レンズフィルム２４ｂ、反射型偏光子２４ｃおよび光制御フィルム２４ｄに対するしわなどの発生を抑制することができる。
この第３の構成例において、上記以外のことは、第１の構成例と同様である。
【００６４】
（１−３）光学素子包装体の製造方法
次に、上述の構成を有する光学素子包装体２の製造方法の一例について説明する。
まず、図３９Ａに示すように、支持体である拡散板２３ａ上に、光学素子である拡散フィルム２４ａ、レンズフィルム２４ｂ、反射型偏光子２４ｃを、この順序で順次積層することにより、光学素子積層体２１を得る。次に、図３９Ｂに示すように、この光学素子積層体２１を第１の包装部材２２1上に載置した後、その上に第２の包装部材２２2を載置する。次に、図３９Ｃに示すように、第１の包装部材２２1および第２の包装部材２２2の周縁部２２ａを接合する。接合の方法としては、例えば、接着や溶着などが挙げられる。接着方法としては、例えばホットメルト型接着方法、熱硬化型接着方法、感圧（粘着）型接着方法、エネルギー線硬化型接着方法、水和型接着方法または吸湿・再湿型接着方法などが挙げられる。溶着方法としては、例えば熱溶着、超音波溶着またはレーザ溶着などが挙げられる。これにより、包装部材２２により光学素子積層体２１の全体が包まれる。次に、図３９Ｄに示すように、例えば、包装部材２２のうち、光学素子積層体２１の角部２１ｂに対応する部分を切除などして開口２２ｃを形成する。
【００６５】
次に、図４０Ａに示すように、例えば、光学素子積層体２１を包装部材２２の一方に寄せて、光学素子積層体２１の角部２１ｂを包装部材２２の開口から露出させる。次に、図４０Ｂに示すように、包装部材２２を熱処理することにより、包装部材２２をシュリンクさせる。次に、図４０Ｃに示すように、必要に応じて、包装部材２２に包まれた光学素子積層体２２の一主面または両主面を加圧ローラ３３により加圧するとともに、加圧ローラ３３を回転させながら光学素子積層体２１の一主面上または両主面上を移動させる。これにより、包装部材２１内の余分なエアが開口２２ｃから排出され、包装部材２１と光学素積層体２２とが密着される。なお、光学素子積層体２１の両主面を加圧ロール３３により加圧する場合には、包装部材２２に包まれた光学素子積層体を２つの加圧ロール３３により挟みながら、光学素子積層体の両主面を加圧するようにしてもよい。
以上により、目的とする光学素子包装体２が得られる。
【００６６】
（２）第２の実施形態
図４１は、この発明の第２の実施形態による液晶表示装置の一構成例を示す。この液晶表示装置は、包装部材２２が支持体２３のみを包んでいる点において、第１の実施形態とは異なる。
【００６７】
図４１に示すように、この液晶表示装置は、光を出射する照明装置１と、照明装置１から出射された光の特性を改善する光学素子包装体２と、光学素子包装体２により特性が改善された光に基づき、画像を表示する液晶パネル３とを備える。照明装置１と光学素子包装体２とによりバックライトが構成される。また、必要に応じて、光学素子包装体２と液晶パネル３との間に、反射型偏光子や拡散フィルムなどの光学素子を配設するようにしてもよい。
【００６８】
また、光学素子包装体２は、支持体２３と、この支持体２３を包む包装部材２２とを備える。包装部材２２は、支持体２３に入射する光が透過する第１の領域Ｒ1と、支持体２３から出射される光が透過する第２の領域Ｒ2とを有し、第１の領域Ｒ1および第２の領域Ｒ2の少なくとも一方に光学機能を備える。この光学機能は、例えば、第１の領域Ｒ1および／または第２の領域Ｒ2の内側面または外側面の少なくとも一方に備えられる。光学機能層としては、例えば、集光素子、光拡散素子、光制御素子、偏光性素子、反射偏光性素子などが挙げられる。
【００６９】
図４２および図４３は、この発明の第２の実施形態による光学素子包装体の一構成例を示す。図４２および図４３に示すように、この光学素子包装体２は、支持体である拡散板２３ａと、この拡散板２３ａを包む包装部材２２とを備える。包装部材２２は、支持体２３に入射する光が透過する第１の領域Ｒ1に光制御を備え、支持体２３から出射される光が透過する第２の領域Ｒ2に拡散機能を備える。光制御は、光制御フィルムなどの光制御素子の機能を有し、拡散層は、拡散フィルムなどの光拡散素子の機能を有する。
この第２の実施形態において、上記以外のことは、第１の実施形態と同様である。
【００７０】
（３）第３の実施形態
図４４は、この発明の第３の実施形態による液晶表示装置の一構成例を示す。この液晶表示装置は、照明装置１が光学素子包装体２を支持する支持部３５を備え、光学素子包装体２が照明装置１の支持体３４ａと係合する被支持部３６を備える点において、第１の実施形態とは異なる。
【００７１】
図４５は、この発明の第３の実施形態によるバックライトの一構成例を示す。このバックライトは、１または複数の光源１１と、バックライトシャーシ３４と、バックライトシャーシ３４に支持された光学素子包装体２とを備える。光学素子包装体２は、１または複数の被支持部３６を備える。被支持部３６は、光学素子包装体２の周縁部に設けることが好ましく、包装部材２２の開口２２ｃから露出した部分に設けることが好ましい。例えば、包装部材２２の開口２２ｃから光学素子積層体２１の角部２１ｂが露出している場合、この露出した角部２１ｂに被支持部３６を設けることが好ましい。被支持部３６は、バックライトシャーシ３４の支持部３５と係合し、光学素子包装体２をバックライトシャーシ３４上の所定位置に固定するものである。被支持部３６は、例えば、光学素子包装体２の厚さ方向に貫通する孔部、光学素子包装体２の端面に設けられた溝部などである。上記孔部としては、円状、楕円状、多角形状、扁平状などの断面形状を有するものが挙げられ、上記溝部の形状としては、Ｖ字状、Ｕ字状、Ｌ字状、円弧状などの断面形状を有するものが挙げられる。なお、これらの孔部や溝部の形状は、バックライトシャーシ３４の支持部３５と光学素子包装体２の被支持部３６とが係合し、光学素子包装体２の位置を固定可能なものであればよく、上記形状に限定されるものではない。
【００７２】
また、バックライトシャーシ３４は、光学素子包装体２の被支持部３６と係合する支持部３５と、光学素包装体２の端面を支持する１または複数の支持部３４ｂとを備える。支持部３５は、バックライトシャーシ３４の支持部３５と光学素子包装体２の被支持部３６とが係合し、光学素子包装体２をバックライトシャーシ３４上の所定位置に固定するものである。支持部３５の形状としては、柱状、棒状、円柱状、針状、アーム状、Ｌ字状、Ｔ字状、台形状、円錐状、ネジ状などが挙げられるが、バックライトシャーシ３４の被支持部３６と係合し、光学素子包装体２の位置を固定可能なものであればよく、上記形状に限定されるものではない。支持部３４ｂは、光学素子積層体２１の端面を支持し、光学素子包装体２をバックライトシャーシ３４の所定位置に固定するものである。支持部３４ｂは、例えばバックライトシャーシの周縁部３４ａに設けられている。複数の支持部３４ｂを設ける場合には、光学素子包装体２の端面を少なくとも２方向から支持可能な位置に支持部３４ｂを設けることが好ましい。例えば、光学素子包装体２が全体として矩形状を有する場合、光学素子包装体２の辺のうち、直交する２辺を支持可能な位置に支持部３４ｂを設けることが好ましい。
【００７３】
図４６は、光学素子包装体２の第１の構成例を示す。光学素子積層体２１は、例えば、全体として矩形状の形状を有する。包装部材２２は、光学素子積層体２１の角部２１ｂに対応する位置に開口２２ｃを有し、この開口２２ｃから角部２１ｂが露出している。この開口２２ｃから露出した角部２１には、柱状の支持部３５と嵌合する孔部３６ａが備えられている。
【００７４】
図４７は、光学素子包装体２の第２の構成例を示す。包装部材２２の開口２２ｃから露出した角部２１に、柱状などの支持部３５と嵌合する、断面Ｕ字状の切り欠き溝部３６ｂが備えられている。
【００７５】
（４）第４の実施形態
（４−１）液晶表示装置の構成
図１は、この発明の第４の実施形態による液晶表示装置の一構成例を示す。この液晶表示装置は、図１に示すように、光を出射する照明装置１と、照明装置１から出射された光の特性を改善する光学素子包装体２と、光学素子包装体２により特性が改善された光に基づき、画像を表示する液晶パネル３とを備える。照明装置１と光学素子包装体２とによりバックライトが構成される。以下では、光学素子包装体などの光学部材の面のうち、照明装置１からの光が入射する面を入射面、この入射面から入射した光を出射する面を出射面、および入射面と出射面との間に位置する面を端面と称する。また、入射面と出射面とを総称して主面と適宜称する。
【００７６】
照明装置１は、例えば直下式の照明装置であり、光を出射する光源１１と、光源１１から出射された光を反射して液晶パネル３の方向に向ける反射板１２とを備える。光源１１としては、例えば、冷陰極蛍光管（ＣＣＦＬ：Cold Cathode Fluorescent Lamp）、熱陰極蛍光管（ＨＣＦＬ:Hot Cathode Fluorescent Lamp）、有機エレクトロルミネッセンス（ＯＥＬ：Organic ElectroLuminescence）または発光ダイオード(ＬＥＤ：Light Emitting Diode)、無機エレクトロルミネッセンス（ＩＥＬ：Inorganic ElectroLuminescence）などを用いることができる。反射板１２は、例えば１または複数の光源１１の下方および側方を覆うように設けられ、１または複数の光源１１から下方および側方などに出射された光を反射して、液晶パネル３の方向に向けるためのものである。
【００７７】
光学素子包装体２は、例えば、照明装置１から出射された光を拡散や集光などの処理を施して光の特性を変える１または複数の光学素子２４と、１または複数の光学素子を支持する支持体２３と、１または複数の光学素子２４と支持体２３とを包んで一体化する包装部材２２を備える。以下では、支持体２３と１または複数の光学素子とを重ね合わされたものを光学素子積層体２１と称する。包装部材２２は、光学素子積層体２１に入射する光が透過する第１の領域Ｒ1と、光学素子積層体２１から出射される光が透過する第２の領域Ｒ2とを有する。
【００７８】
光学素子２４の数や種類は、特に限定されるのもではなく、所望とする液晶表示装置の特性に応じて適宜選択することができる。光学素子２４としては、例えば少なくとも支持体として作用する光学機能を有する素子、或いは支持体と１または複数の光学機能を有する素子を用いることができる。光学素子２４としては、例えば光拡散素子、光集光素子、反射型偏光子、偏光子または光分割素子などを用いることができる。光学素子としては、例えば、フィルム状、シート状または板状のものを用いることができる。光学素子２４の厚さは、例えば５〜１０００μｍである。
【００７９】
支持体２３は、例えば、照明装置１から出射された光を透過する透明板、または照明装置１から出射された光を拡散や集光などの処理を施して光の特性を変える光学板である。光学板としては、例えば拡散板、位相差板またはプリズム板などを用いることができる。支持体２３の厚さは、好ましくは５００〜１０００００μｍ、より好ましくは１０００〜５００００μｍである。支持体２３の厚み、断面幅、長さ、および剛性（弾性率）は、包装部材２２の張力を考慮して適宜選択することが好ましい。
【００８０】
具体的には、支持体２３としては、バックライトが直下型のものである場合、対角２インチ〜１００インチ程度、厚み１ｍｍ〜４ｍｍのサイズを有する、拡散性フィラーが内添された樹脂板、または拡散性の機能を有する形状や、フィラーを含む層をガラス表面に設けた拡散性の光学板を使用できる。また、バックライトがサイドライト型のものである場合、対角１インチ〜数１０インチ、厚み０．５〜１０ｍｍ程度のサイズを有する透明樹脂板、フィラーが内添された樹脂板、表面に形状が付与された樹脂板、フィラーが内添されると共に表面に形状が付与された樹脂板を使用できる。
【００８１】
また、液晶表示装置を４０℃の高温環境下に保存したときに、液晶表示装置点灯時の装置内温度が約６０℃まで上昇する（後述する実施例１参照）ことと、実際の液晶テレビなどでは、７０℃で偏光板が劣化することを回避するために温度上昇抑制機能を設けていることを考慮すると、支持体２３としては、７０℃まで剛性の変動が小さく、かつ、ある程度の弾性を有しているものが好ましい。このような特性を有する支持体２３の材料としては、例えば、ポリカーボネート（弾性率２．１ＧＰａ）、ポリスチレン（弾性率２．８ＧＰａ）、シクロオレフィン樹脂としてゼオノア樹脂（弾性率２．１ＧＰａ）、アクリル系樹脂（弾性率３ＧＰａ）などを主成分とするものが挙げられ、これらの材料のうちで最も弾性率の低い、ポリカーボネート樹脂の弾性率以上（２．１ＧＰａ以上）の弾性率を有する材料を主成分とするものが好ましい。
【００８２】
支持体２３は、例えば高分子材料からなり、その透過率は３０％以上であることが好ましい。なお、光学素子２４と支持体２３との積層の順序は、例えば、光学素子２４および支持体２３の有する機能に応じて選ばれる。例えば、支持体２３が拡散板である場合、支持体２３は、照明装置１からの光が入射する側に設けられ、支持体２３が反射型偏光板である場合、支持体２３は、液晶パネル３に光を出射する側に設けられる。また、支持体２３となる透明板や拡散板よりも光源側に光分割や拡散機能を有する光機能を設ける形態などの組み合わせや、透明板や拡散板から出射後に更に光拡散機能を設けたり、或いは／更には光集光機能層を組み合わせて使用しても良い。光学素子２４および支持体２３の入射面および出射面の形状は、液晶パネル３の形状に応じて選ばれ、例えば縦横比（アスペクト比）の異なる矩形状である。
【００８３】
光学素子２４および支持体２３の主面には、凹凸処理を施すこと、または微少粒子を含有させることが好ましい。こすれや摩擦を低減できるからである。また、光学素子２４および支持体２３には、必要に応じて光安定剤、紫外線吸収剤、帯電防止剤、難燃剤および酸化防止剤などの添加剤を含有させることにより、紫外線吸収機能、赤外線吸収機能および静電抑制機能などを光学素子２４および支持体２３に付与するようにしてもよい。また、光学素子２４および支持体２３には、アンチリフレクション処理（ＡＲ処理）やアンチグレア処理（ＡＧ処理）などの表面処理を施すことにより、反射光の拡散や反射光そのもの低減を図るようにしてもよい。また、光学素子２４および支持体２３の表面に、紫外線や赤外線を反射するための機能を持たせるようにしてもよい。
【００８４】
包装部材２２は、例えば透明性を有する単層または複数層のフィルム状、シート状もしくは袋状である。包装部材２２は例えば帯状の形状を有し、その長手方向の端面同士が、好ましくは光学素子積層体２１の端面上にて接合されている。なお、以下では、包装部材２２の面のうち、光学素子積層体２１の側となる面を内側面、それとは反対側の面を外側面と称する。
【００８５】
包装部材２２のフィルムもしくはシートは、同一方向の長手方向で結合されていても、長手と交わる方向で結合されていてもよい。これらの包装部材２２は、同一方向および／または異なる方向にて少なくとも一重以上にて覆われていてもよい。また、これらの包装部材２２は連続したフィルムあるいはシートは連続しており、少なくとも２層以上にて覆われており、同一方向および／または異なる方向の両方に設けてもよい。
【００８６】
光学素子積層体２１の主面が、例えば縦横比の異なる矩形状を有する場合、主面とその長辺側の両端面とが包装部材２２により包まれ、短辺側の両端面が包装部材２２から露出するか、あるいは、主面とその短辺側の両端面とが包装部材２２により包まれ、主面と長辺側の両端面とが露出する。
【００８７】
包装部材２２の厚さは、例えば５〜５０００μｍに選ばれる。なお、包装部材２２の厚さが、入射面側と出射面側とで異なるようにしてもよく、この場合、入射面側の厚さが出射面側の厚さに比べて厚いことが好ましい。入射面側の厚さを厚くすることで、光源１１から発生される熱による支持体２３や光学素子２４の形状変化を抑制できるからである。
但し、目的によって、出射面側の厚さを入射面側の厚さに比べて厚くするようにしてもよい。また、包装部材２２は、光学素子積層体２１の主面を、面積比率で５０％以上覆っていることが好ましく、画面表示域を覆っているか、あるいは画面表示域主面の一方または両方を開放していることが好ましい。また、包装部材２２が、骨材としての構造体を内包するようにしてもよい。包装部材２２は、例えば１軸異方性または２軸異方性を有する。例えば、包装部材２２が矩形状を有する場合、包装部材２２の長手方向に正または負の屈折率特性にて１軸異方性を有し、もしくは包装部材２２の長手方向に正または負の屈折率にて２軸異方性を有する。
【００８８】
また、包装部材２２が異方性を有する場合には、その光学異方性は小さいことが好ましく、具体的にはそのリタデーション（retardation）が、５０ｎｍ以下であることが好ましい。もしくは、光学異方性の光学軸が内包部材の長手或いは短軸に対して同調している場合には、そのリタデーションは５０ｎｍ以下に限定されず、視野角による色特性などが使用用途によって満足されれば良い。更には、拡散機能を包装部材２２の出射側に設けるか、第１の領域Ｒ1の主面を通過した際に、拡散性を有する機能を設けられた包装部材２２とすること、或いは、光学素子包装体２の出射側に拡散性を有するなどの光学機能を設けることによって、包装部材２２の異方性を限定することなく使用が可能である。
【００８９】
包装部材２２としては、１軸延伸もしくは２軸逐次或いは同時延伸のシートまたはフィルムを用いることが好ましい。このようなシートまたはフィルムを用いた場合、熱を加えることにより包装部材２２を延伸方向に収縮させることができるので、包装部材２２と光学素子積層体２１との密着性を高めることができる。また、包装部材２２としては、伸張性を示すフィルムやシートを用いて、伸縮させて包括したい方向を主に伸張させた後に、内包物を伸張性を示すフィルムやシートで挟み込んで内包物の周囲を接着や溶着によって接合した後に、慎重性フィルムやシートのテンションを開放して、内包された支持体、或いは／及び光学素子との密着性を高めることができる。
【００９０】
包装部材２２の材料としては、好ましくは熱収縮性を有する高分子材料、より好ましくは常温から８５℃までの熱付与により収縮する高分子材料を用いることができる。熱収縮性を有する高分子材料としては、例えば、ポリエチレン（ＰＥ）およびポリプロピレン（ＰＰ）などのポリオレフィン系樹脂、ポリエチレンテレフタレート（ＰＥＴ）およびポリエチレンナフタレート（ＰＥＮ）などのポリエステル系樹脂、ポリスチレン（ＰＳ）およびポリビニルアルコール（ＰＶＡ）などのビニル結合系、ポリカーボネート（ＰＣ）系樹脂、シクロオレフィン系樹脂、ウレタン系樹脂、塩化ビニル系樹脂、天然ゴム系樹脂、ならびに人工ゴム系樹脂などを単独または混合して用いることができる。
【００９１】
包装部材２２の熱収縮率は、好ましくは０．２％以上、より好ましくは５％以上、さらにより好ましくは１０％以上、最も好ましくは２０％以上である。この数値範囲にすることで、包装部材２２と光学素子積層体２１との密着性を高めることができるからである。包装部材２２の熱変形温度は、８０℃以上、望ましくは９０℃以上であることが好ましい。光源１１から発生される熱により光学素子包装体２の光学特性が低下することを抑制できるからである。包装部材２２の材料の乾燥減量は、２％以下であることが好ましい。包装部材２２の材料の屈折率（包装部材２２の屈折率）は、光線透過率を得るために界面反射ロスを減らす目的の場合には好ましくは１．６以下、より好ましくは１．５５以下であり、集光効果、光分割効果などの光学機能要素を付加させる場合には、１．４５以上好ましくは１．５以上が望ましい。
【００９２】
包装部材２２は、例えば、段落［００７９］、［００８０］、［００９９］、［０１００］、［０１０１］、［０１０２］、［０１０３］、［０１０４］、［０１０５］、［０１０６］、［０１０７］などに記載の光学機能を有するようにしてもよい。具体的には、光拡散素子、光集光素子、反射型偏光子、偏光子、光分割素子などの光学機能を有するようにしてもよい。
【００９３】
包装部材２２は、表面の耐傷性、或いは液晶表示装置の表示パネルへの密着防止、或いは、内添された光学素子、支持体への貼り付き防止、または、直下型光源と光学素子との隙間を規制するためのピン（スタッド）との輸送などの振動時の擦れ傷防止などの目的のために、１種または２種以上のフィラーを含有していることが好ましい。
【００９４】
また、拡散性の光学機能として包装部材２２に機能付与をすることを目的として、フィラーを包装部材２２の全体、或いは一方の表面、或いは両方の表面、或いは表面と一方或いは／及び両面のどちらかにフィラーが内添されていてもよく、内添された粒子が表層近傍に存在していてもよい。
【００９５】
これら、包装部材２２へのフィラーの内添以外にも、包装部材２２への表層へ樹脂と粒子の混合物を成形されるか、或いは包装部材２２の表層へ樹脂と粒子と溶媒による塗料を塗布・溶媒乾燥してフィラーを合有させる方法、フィラーが合有されたエネルギー硬化システム（ＵＶ硬化、可視光硬化、電子線硬化など）を用いて成膜・成形させる方法、或いは前述のようにして作製されたフィラー合有層に転写させる方法などが挙げられる。
【００９６】
フィラーとしては、例えば有機フィラーおよび無機フィラーの少なくとも１種を用いることができる。有機フィラーの材料としては、例えばアクリル樹脂、スチレン樹脂、フッ素および空洞からなる群より選ばれる１種または２種以上を用いることができる。無機フィラーとしては、例えばシリカ、アルミナ、タルク、酸化チタンおよび硫酸バリウムからなる群より選ばれる１種または２種以上を用いることができる。これら有機、無機フィラーは単独でも両方でも用いることができる。フィラーの形状は、例えば針状、球形状、楕円体状、板状、鱗片状などの種々の形状を用いることができる。フィラーの径としては、例えば１種または２種以上の径が選ばれる。
【００９７】
また、前述の包装部材２２にフィラーを合有させるのと同様の目的で、包装部材２２に形状付与を施してもよい。例えば、熱可塑性樹脂の包装部材２２の一方の面、および／または両面に対して熱ラミネートや、エンボスなどの操作により形状を付与させることも可能である。形状の付与を施した後に延伸・熱固定して熱シュリンク性のフィルムを得たり、熱シュリンク性のフィルムへ熱ラミネート或いはエンボスなどの操作により形状を付与させたフィルムを得てもよい。
【００９８】
上述のような熱成形・機械的エンボス成形、フィルム内添型成形、エネルギー硬化性樹脂などの方法によって形状を付与することができるようになり、光入射側及び出射側の主面の一方、および／または両方の面に対して集光、拡散、光分割などの光制御手段を設けることが可能である。
【００９９】
例えば、包装部材２２の光出射側にレンズ形状を付与することにより輝度向上効果が得られ、同様に拡散機能形状を設けることによって、光源ムラ消し効果、マイクロレンズ形状によって集光機能の効果を得られる。また、光源側の包装部材２２にもレンズ形状や拡散機能を付与することにより、光源ムラの低減効果を得ることも可能となる。
【０１００】
包装部材２２に光学機能を設ける場合には、光学機能の目的によって光入射側の主面と、光出射側の主面の少なくとも一方に設けることが可能であり、各々の光学機能が異なっており、異なる機能を設けても良い。例えば、透明、光集光、光拡散、光分割らを組み合わせても、単独で使用しても良い。これらは、内包される光学機能と同じ機能を使用してもよく、使用用途によって選択される。
【０１０１】
また、包装部材２２には、必要に応じて光安定剤、紫外線吸収剤、帯電防止剤、難燃剤および酸化防止剤などの添加剤をさらに含有させて、紫外線吸収機能、赤外線吸収機能および静電抑制機能などを包装部材２２に付与するようにしてもよい。また、包装部材２２に、アンチグレア処理（ＡＧ処理）およびアンチリフレクション処理（ＡＲ処理）などの表面処理などを施すことにより、反射光の拡散や反射光そのもの低減などを図るようにしてもよい。さらには、ＵＶ−Ａ光（３１５〜４００ｎｍ程度）などの特定波長領域の光を透過する機能を付与してもよい。
【０１０２】
包装部材２２の表面には、光学機能としての凹凸構造が形成されていてもよく、更には貼り付け防止や、耐傷性のためにうねりを含めた構造としてもよい。集光機能として例えば並列したレンズを稜線方向にうねりを加えることにより、レンズの頂部の接触が抑えられる。また、一方の面以外に、裏面にも光学機能、あるいは貼り付き防止、耐傷のための構造を設けてもよい。
【０１０３】
液晶パネル３は、光源１１から供給された光を時間的空間的に変調して情報を表示するためのものである。液晶パネル３の動作モードとしては、例えば、ツイストネマチック（ＴＮ:Twisted Nematic）モード、垂直配向（ＶＡ：Vertically Aligned）モード、水平配列（ＩＰＳ:In-Plane Switching）モード、または曲がり配列（ＯＣＢ：Optically Compensated Birefringence）モードが用いられる。
【０１０４】
（４−２）光学素子包装体の構成
（４−２−１）第１の構成例
次に、図２〜４を参照して、光学素子包装体２の構成例について詳しく説明する。
図２は、この発明の第４の実施形態による光学素子包装体の第１の構成例を示す。光学素子包装体２は、図２に示すように、例えば、支持体である拡散板２３ａと、光学素子である拡散フィルム２４ａ、レンズフィルム２４ｂおよび反射型偏光子２４ｃと、これらを包んで一体化する包装部材２２とを備える。ここでは、拡散板２３ａと、拡散フィルム２４ａ、レンズフィルム２４ｂおよび反射型偏光子２４ｃとが光学素子積層体２１を構成する。光学素子積層体２１の主面は、例えば縦横比の異なる矩形状を有している。光学素子積層体２１の主面とその長辺側の両端面とが帯状の包装部材２２により包まれ、光学素子積層体２１の短辺側の両端面が露出されている。帯状の包装部材２２の長手方向の両端部同士が、例えば、光学素子積層体２１の長辺側の端面にて接合される。
【０１０５】
拡散板２３ａは、１または複数の光源の上方に設けられ、１または複数の光源１１からの出射光および反射板１２による反射光を拡散させて輝度を均一にするためのものである。拡散板２３ａとしては、例えば、光を拡散するための凹凸構造体を表面に備えるもの、拡散板２３ａの主構成材料とは屈折率の異なる微粒子などを含有するもの、空洞性微粒子を含有するもの、または上記凹凸構造体、微粒子および空洞性微粒子を２種以上組み合わせたものを用いることができる。微粒子としては、例えば有機フィラーおよび無機フィラーの少なくとも１種を用いることができる。また、上記凹凸構造体、微粒子および空洞性微粒子は、例えば拡散フィルム２４ａの出射面に設けられる。拡散板２３ａの光透過率は、例えば３０％以上である。
【０１０６】
拡散フィルム２４ａは、拡散板２３ａ上に設けられ、拡散板にて拡散された光を拡散などするためのものである。拡散フィルム２４ａとしては、例えば、光を拡散するための凹凸構造体を表面に備えるもの、拡散フィルム２４ａの主構成材料とは屈折率の異なる微粒子などを含有するもの、空洞性微粒子を含有するもの、または上記凹凸構造体、微粒子および空洞性微粒子を２種以上組み合わせたものを用いることができる。微粒子としては、例えば有機フィラーおよび無機フィラーの少なくとも１種を用いることができる。また、上記凹凸構造体、微粒子および空洞性微粒子は、例えば拡散フィルム２４ａの出射面に設けられる。
【０１０７】
レンズフィルム２４ｂは、拡散フィルム２４ａの上方に設けられ、照射光の指向性等を向上させるためのものである。レンズフィルム２４ｂの出射面には、例えば微細なプリズムレンズ列が設けられており、このプリズムレンズの列方向の断面は、例えば略三角形状を有し、その頂点に丸みを付すことが好ましい。カットオフを改善し、広視野角を改善できるからである。
【０１０８】
拡散フィルム２４ａおよびレンズフィルム２４ｂとしては、例えば高分子材料からなり、その屈折率は例えば１．４５以上が好ましく、更に好ましくは１．５以上、最も好ましくは１．６以上である。光学素子２４またはそれに設けられる光学機能層を構成する材料としては、例えば、光もしくは電子線で硬化する電離性感光型樹脂、または熱により硬化する熱硬化型樹脂が好ましく、紫外線により硬化する紫外線硬化樹脂が好ましい。また、熱可塑性の高分子材料から作製されるタイプでもよい。
【０１０９】
反射型偏光子２４ｃは、レンズフィルム上に設けられ、レンズシートにより指向性を高められた光のうち、直交する偏光成分の一方のみを通過させ、他方を反射するものである。
反射型偏光子２４ｃは、例えば有機多層膜、無機多層膜または液晶多層膜などの積層体である。また、反射型偏光子２４ｃに異屈折率体を含有させるようにしてもよい。また、反射型偏光子２４ｃに拡散、レンズ機能を設けてもよい。
【０１１０】
ここで、図３〜４を参照して、包装部材２２の接合部の例について説明する。
図３は、包装部材の接合部の第１の例を示す。この第１の例では、図３に示すように、光学素子積層体２１の端面上にて、包装部材端部の内側面と外側面とを重ね合わせるようにして接合されている。すなわち、包装部材２２の端部が、光学素子積層体２１の端面に倣うようにして接合されている。
【０１１１】
図４は、包装部材の接合部の第２の例を示す。この第２の例では、図４に示すように、光学素子積層体２１の端面にて、包装部材端部の内側面同士を重ね合わせるようにして接合されている。すなわち、包装部材２２の端部が、光学素子積層体２１の端面から立ち上がるようにして接合されている。
【０１１２】
（４−２−２）第２の構成例
図５は、この発明の第４の実施形態による光学素子包装体の第２の構成例を示す。図５に示すように、光学素子積層体２１の入射面および出射面とその短辺側の両端面とが、帯状の包装部材２２により包まれ、光学素子積層体２１の短辺側の両側面が露出されている。帯状の包装部材２２の長手方向の端部同士が、光学素子積層体２１の長辺側の端面にて接合される。
【０１１３】
（４−２−３）第３の構成例
図６は、この発明の第４の実施形態による光学素子包装体の第３の構成例を示す。図６に示すように、光学素子積層体２１の中央部およびその付近が帯状の包装部材２２により覆われ、光学素子積層体２１の短辺側の両端部が露出されている。帯状の包装部材２２の長手方向の端部同士が、光学素子積層体２１の長辺側の端面にて接合される。
【０１１４】
（４−３）光学素子包装体の製造方法
次に、上述の構成を有する光学素子包装体２の製造方法の一例について説明する。まず、図７Ａに示すように、重ね合わされた１または複数の光学素子２４と支持体２３とを、例えば帯状の包装部材２２上に載置する。次に、図７Ａ中の矢印ａに示すように、例えば帯状の包装部材２２の長手方向の両端部を持ち上げ、重ね合わされた１または複数の光学素子２４と支持体２３とを包装部材２２により包む。次に、図７Ｂに示すように、例えば包装部材２２の長手方向の端部同士を、１または複数の光学素子２４または支持体２３の端面にて接合する。接合の方法としては、例えば、接着剤や溶着による接着などが挙げられる。接着剤による接着方法としては、例えばホットメルト型接着方法、熱硬化型接着方法、感圧（粘着）型接着方法、エネルギー線硬化型接着方法、水和型接着方法または吸湿・再湿型接着方法などが挙げられる。溶着による接着方法としては、例えば熱溶着、超音波溶着またはレーザ溶着などが挙げられる。その後、必要に応じて包装部材２２に熱を加えることにより、包装部材を熱収縮させるようにしてもよい。以上により、目的とする光学素子包装体２が得られる。
【０１１５】
（５）第５の実施形態
この第５の実施形態は、第４の実施形態において、２種以上の大きさの光学素子２４を備えるものである。２種以上の大きさの光学素子２４のうち、最も小さい光学素子２４が光学素子積層体２１の内部に配設され、最も大きい光学素子２４が光学素子積層体２１の入射面側または出射面側に配設される。
【０１１６】
図８に、この発明の第５の実施形態による光学素子積層体の一構成例を示す。図８に示すように、支持体である拡散板２３ａ上に拡散フィルム２４ａ、レンズフィルム２４ｂおよび反射型偏光子２４ｃがこの順序で重ねられている。そして、この光学素子積層体２１が帯状の包装部材２２により包まれている。光学素子積層体２１を構成する光学素子２４のうちで、最も小さい拡散フィルム２４が、光学素子積層体２１の内部に配設され、最も大きい光学素子２４の１つである反射型偏光子２４ｃが光学素子積層体２１の出射面側に配設される。
【０１１７】
（６）第６の実施形態
この第６の実施形態では、光学素子積層体２１の端面が包装部材２２により覆われて光学素子積層体が一体化され、光学素子積層体２１の主面が露出されている。また、必要に応じて光学素子積層体２１の周縁部を包装部材２２によりさらに包むようにしてもよい。
【０１１８】
図９は、この発明の第６の実施形態による光学素子包装体の一構成例を示す。図９に示すように、光学素子積層体２１の全ての端面が包装部材２２により包まれて、光学素子積層体２１の入射面および出射面が露出されている。
【０１１９】
この発明の第６の実施形態では、光学素子包装体２の出射面が露出しているので、光学素子包装体２の出射側に配設された支持体２３または光学素子２４を透過した光のリタデーションを変えることなく、液晶パネル１０４に入射させることができる。例えば、出射側に設けられた反射型偏光子２４ｃにより偏向分離された光をそのリタデーションを変えることなく、液晶パネル１０４の偏向子に入射させることができる。したがって、輝度の低下を抑制することができる。
【０１２０】
（７）第７の実施形態
この第７の実施形態は、第４の実施形態において、２以上の包装部材２２を備え、これらの包装部材２２を互いに異なる方向から光学素子積層体２１に被せて、光学素子積層体２１を包んだものである。２以上の包装部材の材料や形状はそれぞれ異なるものであってもよい。
【０１２１】
図１０は、この発明の第７の実施形態による光学素子包装体の一構成を示す。図１０に示すように、光学素子積層体２１の主面は、例えば縦横比の異なる矩形状を有する。光学素子積層体２１の主面およびその短辺側の端面が第１の包装部材３１ａにより包まれる。光学素子積層体２１の主面およびその長辺側の端面が第２の包装部材３１ｂにより包まれる。したがって、光学素子積層体２１のすべての面が第１の包装部材３１ａおよび第２の包装部材３１ｂにより包まれる。
【０１２２】
（８）第８の実施形態
この第８の実施形態は、第４の実施形態において、２以上の包装部材２２を用いて光学素子積層体を束ねて一体化するものである。包装部材２２は、例えば細長い帯状の形状を有し、光学素子積層体２１の端部などを包んで光学素子積層体２１を一体化する。
【０１２３】
図１１は、この発明の第８の実施形態による光学素子包装体の一構成例を示す。図１１に示すように、光学素子積層体２１の主面は、例えば縦横比の異なる矩形状を有する。細長い帯状を有する第１の包装部材３２ａおよび第２の包装部材３２ｂがそれぞれ、光学素子積層体２１の両端部を包んで光学素子積層体２１を一体化している。
【０１２４】
（９）第９の実施形態
この第９の実施形態は、第８の実施形態において、２以上の包装部材２２を通すための２以上の溝または孔を備えるものである。溝または孔は、光学素子積層体２１の端部近傍に設けることが好ましい。溝または孔を設けることによる光学特性の低下を抑制できるからである。
【０１２５】
図１２は、この発明の第９の実施形態による光学素子積層体の一構成例を示す。図１２に示すように、光学素子積層体２１の主面は、例えば縦横比の異なる矩形状を有する。光学素子積層体２１の長辺側の両端部付近にはそれぞれ、溝２１ａ，２１ａが設けられている。細長い帯状を有する第１の包装部材３２ａおよび第２の包装部材３２ｂをそれぞれ、この溝２１ａ，２１ａを通すようにして光学素子積層体２１の両端部を包んで光学素子積層体２１を一体化している。
【０１２６】
この第９の実施形態では、包装部材２２を通すための溝または孔を光学素子積層体２１に設けているので、製造時や輸送時における包装部材２２のずれを防ぐことができる。したがって、液晶表示装置の品質や生産性を向上することができる。
【０１２７】
（１０）第１０の実施形態
第１０の実施形態は、第４の実施形態において、光学素子積層体２１を包装部材２２により密封したものである。包装部材２２は、例えば１または複数の包装部材２２からなり、その包装部材２２の端辺部分が接合される。この接合部分は、光学素子積層体２１の端面上に位置することが好ましい。接合部の形成による光学素子包装体２の光学特性の悪化を回避できるからである。
【０１２８】
図１３は、この発明の第１０の実施形態による光学素子積層体の一構成例を示す。図１３に示すように、光学素子積層体２１の主面が、例えば縦横比の異なる矩形状を有し、その６方向全方位が包装部材２２により包まれている。包装部材２２は、例えば第１の第１の包装部材および第２の包装部材を備え、第１の包装部材および第２の包装部材がそれぞれ、例えば光学素子積層体２１の入射面および出射面を覆うようになっている。第１の包装部材と第２の包装部材とは、例えば異なる物性を有していてもよい。
【０１２９】
次に、上述の構成を有する光学素子包装体２の製造方法の一例について説明する。まず、支持体２３上に１または複数の光学素子２４を重ね合わせる。次に、重ね合わされた光学素子２４および支持体２３を第１の包装部材および第２の包装部材とにより挟み込む。次に、第１の包装部材および第２の包装部材の周縁部を接合する。以上により、目的とする光学素子包装体２が得られる。
【０１３０】
（１１）第１１の実施形態
この第１１の実施形態は、第１０の実施形態において、包装部材２２の入射面または出射面の少なくとも一方に開口を設けたものである。
【０１３１】
図１４は、この発明の第１１の実施形態による光学素子包装体の一構成例を示す。図１４に示すように、包装部材２２の入射面には、例えば液晶パネル３の入射面と略同形状の開口２２ｂが設けられている。また、光学素子積層体２１の出射面側には、例えば反射型偏光子２４ｃが設けられている。
【０１３２】
この発明の第１１の実施形態では、光学素子積層体２１の出射面が露出しているので、光学素子包装体２の出射側に配設された支持体２３または光学素子２４を透過した光のリタデーションを変えることなく、液晶パネル１０４に入射させることができる。例えば、出射側に設けられた反射型偏光子２４ｃにより偏向分離された光をそのリタデーションを変えることなく、液晶パネル１０４の偏向子に入射させることができる。したがって、輝度の低下を抑制することができる
【０１３３】
（１２）第１２の実施形態
この第１２の実施形態は、第１０の実施形態において、包装部材２２に１または複数の開口を設けたものである。開口は、例えば光学素子積層体２１の角部および辺部の少なくとも一方に設けられている。
【０１３４】
図１５は、この発明の第１２の実施形態による光学素子包装体の第１の構成例を示す。この第１の構成例では、図１５に示すように、包装部材２２は、例えば光学素子積層体２１の角部２１ａに対応する位置に開口部２２ｃを有する。したがって、光学素子積層体２１の角部２１ａが包装部材２２から露出されている。
【０１３５】
図１６は、この発明の第１２の実施形態による光学素子包装体の第２の構成例を示す。この第２の構成例では、図１６に示すように、包装部材２２は、例えば光学素子積層体２１の辺部に対応する位置に開口部２２ｃを有する。この開口部２２ｃは、例えばスリット状を有する。したがって、光学素子積層体２１の辺部が包装部材２２から露出されている。
【０１３６】
この第１２の実施形態では、包装部材２２に開口を設け、この開口から光学素子積層体２１の辺部や角部を露出させるので、光学素子包装体２の製造時や輸送時において、光学素子積層体２１の辺部や角部により包装部材２２が破損することを抑制できる。
【０１３７】
（１３）第１３の実施形態
この第１３の実施形態は、第４の実施形態において、包装部材２２と、この包装部材２２により包まれる支持体２３および１または複数の光学素子２４の少なくとも１つとを接合するものである。接合の方法としては、例えば、接着剤や溶着による接着などが挙げられる。接着剤による接着方法としては、例えばホットメルト型接着方法、熱硬化型接着方法、感圧（粘着）型接着方法、エネルギー線硬化型接着方法、水和型接着方法または吸湿・再湿型接着方法などが挙げられる。溶着による接着方法としては、例えば熱溶着、超音波溶着またはレーザ溶着などが挙げられる。
【０１３８】
図１７は、この発明の第１３の実施形態による光学素子包装体の第１の構成例を示す。この第１の構成例では、接合部２５が光学素子包装体２の入射面側に設けられている。この接合部２５は、包装部材２２の内側の面と、支持体である拡散板２３ａの入射面の一部または全部とが接合されて形成されている。この接合部２５によって包装部材２２と拡散板２３ａとが一体化されている。
【０１３９】
図１８は、この発明の第１３の実施形態による光学素子包装体の第２の構成例を示す。この第２の構成例では、接合部２５が光学素子包装体２の端面に設けられている。この接合部２５は、包装部材２２の内側の面と、支持体である拡散板２３ａの端面の一部または全部とが接合されて形成されている。
【０１４０】
（１４）第１４の実施形態
この第１４の実施形態は、第４の実施形態において、支持体２３および光学素子２４の少なくとも一方に凸面または凹面を設けたものである。凸面および凹面は、支持体２３および光学素子２４のうち、最も厚みが大きいものに設けることが好ましく、例えば透明板や拡散板などの支持体２３に設けられる。支持体２３および光学素子２４の凸面および凹面は、例えば入射面および出射面の少なくとも一方に設けられ、凸面および凹面を組み合わせるようにしてもよい。凸面および凹面はそれぞれ、例えば縦方向（垂直方向）および横方向（水平方向）の少なくとも一方に曲率を有する凸状および凹状の曲面である。このような曲面としては、例えば放物面、円柱面、双曲面、楕円面、４次曲面および自由曲面などを挙げることができる
【０１４１】
図１９は、この発明の第１４の実施形態による光学素子包装体の第１の構成例を示す。この第１の構成例では、図１９に示すように、支持体である拡散板２３ａの入射面が、例えば凸状の曲面となっている。この凸状の曲面は、例えば縦方向（垂直方向）に曲率を有する円柱面である。
【０１４２】
図２０は、この発明の第１４の実施形態による光学素子包装体の第２の構成例を示す。この第２の構成例では、図２０に示すように、支持体である拡散板２３ａの入射面が、例えば凹状の曲面となっている。この凹状の曲面は、例えば縦方向（垂直方向）に曲率を有する円柱面である。
【０１４３】
（１５）第１５の実施形態
この第１５の実施形態は、第４の実施形態において、支持体２３および光学素子２４の少なくとも一方に反りを設けたものである。この反りは、支持体２３および光学素子２４のうち、最も厚みが大きいものに設けることが好ましく、例えば透明板や拡散板などの支持体２３に設けられる。支持体２３および光学素子２４の反りは、例えば入射面側または出射面側が突出するように設けられる。
【０１４４】
図２１は、この発明の第１５の実施形態による光学素子包装体の一構成例を示す。この一構成例では、図２１に示すように、支持体である拡散板２３ａに反りが設けられている。この反りは、例えば拡散板２３ａの出射面側が突出するように設けられている。拡散板２３ａの入射面および出射面は、例えば縦方向（垂直方向）に所定の曲率を有し、横方向（水平方向）に無限大の曲率を有している。
【０１４５】
（１６）第１６の実施形態
この第１６の実施形態は、第４の実施形態において、支持体２３および光学素子２４の少なくとも一方の角部を曲面状または斜面状もしくはそれらの組み合わせた複合形状にしたものである。すなわち、支持体２３および光学素子２４の少なくとも一方の端面を曲面状または多角形状、もしくはそれらを組み合わせた複合形状にしたものである。上記形状は、支持体２３および光学素子２４のうち、最も厚みが大きいものに設けることが好ましく、例えば透明板や拡散板などの支持体２３に設けられる。また、上記形状は、例えば、主面および端面の境界部のうち一部または全部に設けられ、好ましくは包装部材２２と接触する境界部に設けられる。この境界部に設けられる曲面は例えばＲ面であり、境界部に設けられる斜面は例えばＣ面である。
【０１４６】
図２２は、この発明の第１６の実施形態による光学素子包装体の一構成例を示す。この一構成例では、図２２に示すように、支持体である拡散板２３ａの各面の境界部のうち、包装部材２２と接触する境界部には、例えばＣ面などの斜面が設けられている。すなわち、拡散板２３ａの端部の厚さ方向断面は、例えば台形状となっている。
【０１４７】
（１７）第１７の実施形態
この第１７の実施形態は、第４の実施形態において、支持体２３および光学素子２４の少なくとも一方の端面にテーパを設けたものである。テーパは、支持体２３および１または２以上の光学素子２４のうち、入射面側および／または出射面側に配設されるものに設けることが好ましい。また、テーパは、例えば、入射面および出射面の間にある端面の一部または全部に設けられ、好ましくは包装部材２２により覆われる端面に設けられる。
【０１４８】
図２３は、この発明の第１７の実施形態による光学素子包装体の一構成例を示す。この一構成例では、図２３に示すように、入射面側に配設された、支持体である拡散板２３ａの端面にはテーパが設けられている。このテーパは、拡散板２３ａの端面のうち、包装部材２２により覆われる端面に設けられている。
【０１４９】
（１８）第１８の実施形態
この第１８の実施形態は、第４の実施形態において、支持体２３が１または複数の光学素子２４を収容する収容部２３ｂを備えるものである。この収容部２３ｂは、支持体２３の入射面および出射面の少なくとも一方に設けられる。支持体２３の入射面または出射面の周縁部の一部または全部に枠部２３ｃが設けられて、この枠部２３ｃにより囲まれる領域が収容部２３ｂとなる。枠部２３ｃは、光学素子２４の位置を規定できるようなものであればよく、入射面または出射面の周縁部が部分的に突き出た突起であってもよい。
【０１５０】
図２４は、この発明の第１８の実施形態による光学素子包装体の一構成例を示す。図２４に示すように、支持体２３は、例えば支持体２３の入射面および出射面の両方に光学素子２４を収容する。具体的には例えば、支持体２３は、入射面の収容部２３ｂに拡散フィルム２４ａを収容し、出射面の収容部２３ｂにレンズフィルム２４ｂを収容する。支持体２３の入射面および出射面は、例えば縦横比の異なる矩形状を有し、その入射面および出射面の対向する短辺または長辺に沿って枠部２３ｃが設けられている。この枠部２３ｃにより、光学素子２４の位置が規定される。
【０１５１】
（１９）第１９の実施形態
この第１９の実施形態は、第１８の実施形態において、収容部２３ｂに収容された光学素子２４の周縁部を保持する保持部をさらに設けたものである。この保持部は、支持体２３の入射面および出射面の少なくとも一方に設けられる。
【０１５２】
図２５は、この発明の第１９の実施形態による光学素子包装体の一構成例を示す。図２５に示すように、入射面側の枠部２３ｃには、その先端から入射面に平行で、かつ入射面の内側に向かって延びる保持部２３ｄが設けられている。この保持部２３ｄにより、収容部２３ｂに収容された光学素子２４の周縁部が保持される。
【０１５３】
（２０）第２０の実施形態
この第２０の実施形態は、第４の実施形態において、１または複数の光学素子２４のうちの一部または全部を光学素子包装体２の外側に設けたものである。光学素子包装体２の外側に設けられる光学素子２４は、例えば、光学素子包装体２と液晶パネル３との間、および／または光学素子包装体２と照明装置１との間に配される。また、光学素子包装体２の外側に設けられた光学素子２４を、例えば光学素子包装体の出射面または入射面に接着剤などにより接合するようにしてもよい。光学素子包装体２の外側に設けられる光学素子２４としては、例えば光拡散素子、光集光素子、反射型偏光子、偏光子または光分割素子などを用いることができる。
【０１５４】
図２６は、この発明の第２０の実施形態によるバックライトの一構成例を示す。図２６に示すように、照明装置１から液晶パネル３に向かって、例えば、光学素子包装体２、光学素子である反射型偏光子２４ｃがこの順序で設けられている。光学素子包装体２は、拡散板２３ａ、拡散フィルム２４ａおよびレンズフィルム２４ｂが包装部材２２に包装されて一体化されている。
【０１５５】
この第２０の実施形態では、反射型偏光子などの光学素子２４を光学素子包装体２の外側に設けているので、反射型偏光子などの光学素子２４から出射された光のリタデーションを変えることなく、液晶パネル３に入射させることができる。
【０１５６】
（２１）第２１の実施形態
この第２１の実施形態は、第４の実施形態において、包装部材２２の内側面および外側面の少なくとも一方に構造体および光学機能を設けたものである。この光学機能は、例えば光学素子包装体２の入射面側または出射面側の少なくとも一方に設けられる。構造体および光学機能は、照明装置１から入射される光の特性を改善するためのものである。構造体としては、例えばシリンドリカルレンズ、プリズムレンズまたはフライアイレンズなどの各種レンズを用いることができる。また、シリンドリカルレンズやプリズムレンズなどの構造体に対してウォブルを付加してもよい。この構造体は、例えば溶融押出法または熱転写法により形成される。光学機能としては、例えば紫外線カット機能（ＵＶカット機能）または赤外線カット機能（ＩＲカット機能）などを用いることができる。
【０１５７】
図２７は、この発明の第２１の実施形態によるバックライトの一構成例を示す。図２７に示すように、照明装置１から液晶パネル３に向かって、例えば、拡散板２３ａ、拡散フィルム２４ａ、レンズフィルム２４ｂ、反射型偏光子２４ｃがこの順序で設けられている。また、拡散板２３ａは包装部材２２により包まれ、その包装部材の内側面のうち、入射側となる部分には、ムラ消し機能などを有する構造体２６が設けられている。
【０１５８】
（２２）第２２の実施形態
この第２２の実施形態は、第４の実施形態において、光学素子包装体２の端面の一部または全部に、光学素子包装体２の端面から出射される光を反射する反射部を設けたものである。反射部は、例えば、包装部材２２の内側面および外側面、包装部材２２と光学素子積層体２１との間、ならびに光学素子積層体２１の端面の少なくとも１つの位置に設けられている。反射部としては、例えば金属反射膜、酸化物金属膜および金属多層膜などの無機多層反射膜、高分子多層膜などの有機多層反射膜、フィラーを含有する高分子樹脂層、空孔を含有する高分子樹脂層ならびに構造反射体の少なくとも１種を用いることができ、具体的には例えば、酸化チタンなどのフィラーと気泡とを含む白色ＰＥＴフィルムを用いることができる。構造反射体としては、例えば略プリズム形状の構造体を用いることができる。
【０１５９】
図２８は、この発明の第２２の実施形態による光学素子包装体の第１の構成例を示す。この第１の構成例では、図２８に示すように、光学素子積層体２１の端面に、例えば白色ＰＥＴフィルムなどの反射フィルムが配設されている。この反射フィルムは、例えば光学素子積層体２１の端面に接着剤などにより接合されている。
【０１６０】
図２９は、この発明の第２２の実施形態による光学素子包装体の第２の構成例を示す。この第２の構成例では、図２９に示すように、光学素子積層体２１の端面には反射バンド２７により包まれている。反射バンド２７は、例えば、帯状の反射フィルムであって、その長手方向の端部同士が接合されている。接合方法としては、例えば、第４の実施形態における包装部材２２の接合方法を用いることができる。反射バンド２７の基材として、例えば熱収縮性を有するものを用いることができる。
【０１６１】
この第２２の実施形態では、光学素子包装体２の端面に反射部が設けられているので、光学素子包装体２の端面にて照明装置１からの光を反射することができるので、照明装置１からの光を有効に活用することができる。
【０１６２】
（２３）第２３の実施形態
この第２３の実施形態による液晶表示装置は、照明装置１としてエッジ式の照明装置を用いるものである。この照明装置は、液晶パネル３の一端側に配設された光源１１からの光を導光板１３を介して液晶パネル全面に行き渡らせるものである。
【０１６３】
図３０は、この発明の第２３の実施形態による液晶表示装置の一構成例を示す。図３０に示すように、この液晶表示装置は、例えば、光を出射する光学素子包装体２と、この光学素子包装体２から出射された光に基づき画像を表示する液晶パネル３とを備える。液晶パネル３としては、例えば第４の実施形態と同様のものを用いることができる。
【０１６４】
光学素子包装体２は、導光板１３と、導光板１３の一端部に設けられた光源１１と、この光源１１を包むように導光板１３の一端部に設けられたランプリフレクタ１４と、導光板１３の背後に設けられた反射シート１５と、導光板１３上に設けられた光学素子積層体２１と、少なくとも反射シート１５、導光板１３および光学素子積層体２１を包んでこれらの部材を一体化する包装部材２２とを備える。
【０１６５】
光学素子積層体２１は、例えば２以上の光学素子を重ね合わせて構成される。具体的には例えば、光学素子積層体２１は、導光板１３上に、拡散シート、プリズムシート、プリズムシート、拡散シートをこの順序で重ね合わせて構成される。包装部材２２としては、例えば上述の第４の実施形態と同様のものを用いることができる。
【実施例】
【０１６６】
以下、実施例によりこの発明を具体的に説明するが、この発明はこれらの実施例のみに限定されるものではない。
【０１６７】
（実施例１）
（透明包装フィルムの作製）
まず、包装フィルムであるオレフィン系シュリンクフィルムとして、ポリプロピレン／ポリエチレン−ポリプロピレン系／ポリプロピレンを主成分とする組成物を、共押し出しによって縦延伸次いで横延伸の逐次２軸延伸を施し、熱固定処理を加えて、成形後の厚みが２９μｍの熱シュリンク性フィルムを得た。
【０１６８】
（加熱収縮特性評価）
次に、上述のようにして得られた包装フィルムを□３００ｍｍ（３００ｍｍ×３００ｍｍ）の大きさに金尺にて切り出して、送風乾燥機にて１００℃×１０分間処理した際の加熱収縮変化量を測定した。その結果を以下に示す。なお、本実施例では、フィルムの長手軸方向をＭＤ（Ｍａｃｈｉｎｅ  Ｄｉｒｅｃｔｉｏｎ）方向、幅方向をＴＤ（Ｔｒａｎｓｖｅｒｓｅ  Ｄｉｒｅｃｔｉｏｎ）方向として表記する。
ＭＤ方向：１２％
ＴＤ方向：１５％
【０１６９】
（拡散機能の光学特性）
次に、上述のようにして得られた包装フィルムの光学特性を確認した。測定には、村上色彩製のヘイズメーター  ＨＭ−１５０を用いた（ヘイズ値：ＪＩＳ−Ｋ−７１３６、全光線透過率：ＪＩＳ−Ｋ−７３１６準拠）。その結果を以下に示す。
ヘイズ値：６％
全光線透過率：９１％
【０１７０】
（光学素子包装体の作製）
支持体として、ポリカーボネートを主成分とする拡散板（５００ｍｍ×８９０ｍｍ×２ｍｍ）を用意し、市販の拡散シート（恵和製ＢＳ−９１２：２０５μｍ×４９８ｍｍ×８８８ｍｍ）、レンズシート（ソニー製、ポリカーボネート樹脂、レンズピッチ１８５μｍ、双曲面形状、サイズ４５０μｍ×４９８ｍｍ×８８８ｍｍ）を用意した。次に、拡散板、拡散シート、レンズシート、拡散シートをこの順序で積層して光学素子積層体を作製し、この光学素子積層体を包装フィルム上に設置し、その上に再度包装フィルムを設置し、全体が５４０ｍｍ×９５０ｍｍの寸法となるように四方を熱溶着により接合し、溶断した。次に、包装フィルムの端部にφ０．５ｍｍの穴を５０ｍｍの間隔で開けた。
【０１７１】
次に、包装フィルムにて包装された本光学素子積層体を１００℃に加温された送風乾燥機中にて加熱し、包装フィルムをシュリンクさせて内包される光学素子積層体と密着させるために、包装フィルムの端部の穴からエア抜きをしつつ、冷却した。その後、ゴムロールにて挟まれた加圧ローラーをかけて余分なエアを抜き出して、支持体である拡散板と、光学素子である拡散シート、レンズシート、および拡散シートとを密着させた。
以上により、光学素子包装体が得られた。
【０１７２】
（信頼性評価）
次に、前実験として、ソニー製４０インチの液晶ＴＶのバックライトに装填されている拡散板と光源となるＣＣＦＬとの間において、拡散板表面の温度を熱電対にて計測した。その結果、拡散板表面の中央部の温度は６３℃であった。また、実使用環境の上限温度として４０℃の恒温槽中にて、上記測定と同様にして、拡散板表面の中央部の温度を測定した。その結果、拡散板表面の中央部の温度は６８℃であった。
そこで、上記測定結果を考慮して、以下の擬似的な環境下にて光学素子包装体を保持して評価を行った。すなわち、７０℃の高温Ｄｒｙ環境中に光学素子包装体を保存した後、拡散板のソリ量を、金尺にて計測した。その結果を表１に示す。
【０１７３】
（ＴＶ実装評価）
次に、４０インチのソニー製液晶ＴＶから拡散板などの光学素子を取り出し、その代わりに光学素子包装体を実装し、この液晶ＴＶを点灯して輝度および画質を評価した。その結果を表１に示す。
輝度ムラを以下の基準にて評価した。
５点：正面ムラなし、斜視ムラなし
４点：正面ムラなし、斜視ムラ僅かに確認できる
３点：正面ムラ僅か、斜視ムラ僅か
２点：正面ムラ小、  斜視ムラ小
１点：正面ムラ明確、斜視ムラ大
また、輝度評価は、コニカミノルタ製のＣＳ−１０００にて輝度を測定し、後述する比較例１の輝度を基準とする相対値で評価した。
【０１７４】
（比較例１）
以下、図４８を参照して、比較例１について説明する。
まず、一方の長辺側にタブ４２が設けられている以外は実施例１と同様である、拡散板、拡散シート、レンズシート、拡散シートを用意した。次に、タブ４２の方向が揃うようにして、拡散板、拡散シート、レンズシート、拡散シートをこの順序で積層して光学素子積層体を作製した。次に、この光学素子積層体の信頼性を実施例１と同様にして評価した。その結果を表１に示す。次に、バックライトシャーシ４１のピン４３に対して、タブ４３に孔４５を係合するようにして、光学素子積層体を液晶ＴＶに実装して実施例１と同様にして、ＴＶ実装評価を行った。その結果を表１に示す。
【０１７５】
（比較例２）
まず、実施例１と同様にして、拡散板、拡散シート、レンズシート、拡散シートを用意し、各光学素子間を透明アクリル粘着剤で貼合せて一体化させることにより、光学素子積層体を得た。次に、この光学素子積層体を用いる以外は実施例１と同様にして、信頼性評価およびＴＶ実装評価を行った。その結果を表１に示す。
【０１７６】
（評価結果）
表１から以下のことがわかる。
まず、比較例１の各シートを実装して評価した結果、バックライト中の光源による熱により内添シートが熱膨張にて寸法変化が生じて自由に動こうとするが、表示装置の表示エリア外に設けられたタブによる寸法規制によって、局部的にうねりが発生することが確認され、外観評価は２点であった。
【０１７７】
また、タブ部分を有していない比較例２のように、各シートを感圧粘着剤を用いて一体化させ剛性不足を解消させていく方法を用いた場合には、貼合直後は非常に剛直なプレートになっていた。しかし、貼合後の単品保存によって、加温されると反りが発生し易く、貼合による熱膨張や、拡散シートの基材に使用されているポリエチレンテレフタレートの残留歪みが開放（熱収縮）されて、バイメタル効果によって貼合されたプレートに反りが発生してしまう。実装した際にもバイメタルによるソリ応力が発生し、一部はがれるなどの画質不良（画質点数１点）が発生した。
【０１７８】
また、光学特性として正面輝度は比較例１に比べて貼合によって１８％低下した。貼合によるプレートに対して感圧接着剤によるレンズシート、拡散シートの上面の埋め込みが無くなり、更にはレンズシート光入射側を接合されることによって入射光が透過し易くなり、集光効果が低下し易くなり正面輝度の低下が生じたものと考えられる。
【０１７９】
これらに対して、貼合手法を用いずに光学素子を一体化された実施例１の場合には、単体での耐熱性が優れており、反りは殆ど発生しなかった。また、各光学素子の入射・出射側の光線方向への影響が非常に少なく、単純に積層された状態と同様となり、透明包装フィルムによる界面反射ロス分として５％の輝度ロスに留めることが可能であった。比較例１においてタブに起因すると思われる光学シートのたわみは発生しておらず、概観上の輝度ムラが無く、光学素子包装体を用いた実施例１においては、良好な画質表示の結果が得られた。
【０１８０】
（実施例２）
次に、実施例１の光出射側に配設された拡散シートの機能を、光出射側の包装フィルムに付与した実施例について説明する。
【０１８１】
（第２の領域（出射側）の包装フィルム：拡散性包装フィルムの作製）
まず、実施例１と同様にして熱収縮性の透明包装フィルムを得た。次に、この包装フィルム上に拡散性の光学機能層を以下のようにして形成して、第２の領域の包装フィルムを得た。まず、下記の塗料組成に示す原料を配合し、ディスパーにて３時間混合して、拡散性塗料を得た。次に、包装フィルムに対してコロナ放電による易接着処理を行い、調整した拡散性塗料をグラビア塗布法により塗布し、スムージングした後、最高ドライヤー温度：７０℃にて乾燥させた。これにより、厚さ６μｍの拡散機能が包装フィルム上に形成された。
ポリメチルメタクリレート主成分のアクリル樹脂：１００重量部
アクリルビーズ（φ５μｍ、芯球状）：３０重量部
メチルエチルケトン溶剤：３００重量部
【０１８２】
（加熱収縮特性評価）
次に、上述のようにして得られた、拡散機能を有する包装フィルムの１００℃×１０分間の加熱収縮特性を実施例１と同様にして計測した。その結果を以下に示す。
ＭＤ方向：１１％
ＴＤ方向：１３％
この結果から、拡散機能層を付与したフィルムは、拡散機能層を付与する前と同様に熱収縮性を有していることがわかる。
【０１８３】
（第１の領域（入射側）：包装フィルムの作製）
次に、拡散性塗料の塗布を省略する以外は、上述の拡散性包装フィルムの作製と同様にして、包装フィルムを得た。すなわち、透明包装フィルムに対して乾燥処理のみを行い、熱履歴を同様とした包装フィルムを得た。
【０１８４】
（加熱収縮特性評価）
次に、上述のようにして得られた包装フィルムの１００℃×１０分間の加熱収縮特性を実施例１と同様にして計測した。その結果を以下に示す。
ＭＤ方向：１１％
ＴＤ方向：１２％
【０１８５】
（拡散機能の光学特性評価）
次に、上述の拡散機能を有する包装フィルムの光学特性を評価した。その結果を以下に示す。なお、測定には、村上色彩製のヘイズメーター  ＨＭ−１５０を用いた（ヘイズ値：ＪＩＳ−Ｋ−７１３６、全光線透過率：ＪＩＳ−Ｋ−７３１６準拠）。
ヘイズ値：９２％
全光線透過率：７６％
【０１８６】
（光学素子包装体の作製）
次に、支持体として、ポリカーボネートを主成分とする拡散板（５００ｍｍ×８９０ｍｍ×２ｍｍ）を用意し、市販の拡散シート（恵和製ＢＳ−９１２：２０５μｍ×４９８ｍｍ×８８８ｍｍ）、レンズシート（ソニー製、ポリカーボネート樹脂、レンズピッチ１８５μｍ、双曲面形状、サイズ４５０μｍ×４９８ｍｍ×８８８ｍｍ）を用意した。次に、拡散板、拡散シート、レンズシートをこの順序で積層し、拡散層を有する包装フィルムと同様の熱履歴を経た包装フィルム上に設置し、その上に拡散機能層を設けた包装フィルムを設置し、全体が５４０ｍｍ×９５０ｍｍの寸法となるように四方を熱溶着により接合し、溶断した。
【０１８７】
次に、この包装フィルムの４つの角部分を開放するようにコーナーカットを施した。次に、１００℃に加温された送風乾燥機中にて加熱し、包装フィルムをシュリンク・冷却して、支持体となる拡散板と、光学素子である拡散シート、およびレンズシートとを密着させた。以上により、最表面に拡散機能層を有する光学素子包装体が得られた。
【０１８８】
次に、上述のようにして得られた光学素子包装体の信頼性評価を実施例１と同様にして行った。その結果、ソリの発生は確認されなかった。次に、ＴＶ実装による画質評価を実施例１と同様にして行った。その結果、たわみによるうねりは発生せず輝度ムラは良好であり、実施例１にて発生していた輝度ロスが改善されて、相対輝度が４％増加した。また、比較例１の包装フィルムが無い場合に比して、−１％の相対輝度低下におさえることが可能となった。
【０１８９】
更に、コーナー部分を開放した光学素子包装体とすることによって、光学素子包装体の外観上、実施例１ではコーナー部分に僅かに、収縮角が残っており、実装した際にこの角があたって、僅かにゆがみを生じていたが、コーナー部分が無い状態で作製することによって収縮角の発生しない光学素子包装体が作製できる。また、エア抜きの作業が必要なく、工程上簡単に作製が可能となる。実際にＴＶに実装した際に、コーナー部分のたるみは全く無く、良好であった。
【０１９０】
（実施例３）
次に、実施例１のレンズシートの機能を、光出射側の包装フィルムに付与し、指向性の強いレンズのたわみを改善する実施例について説明する。
【０１９１】
まず、実施例１の包装フィルムの材料をオレフィン系材料からポリエチレンナフタレートのフィルム５０μｍに変えて加熱状態で逐次２軸遠心を行い、包装フィルムを得た。
（加熱収縮特性評価）
次に、上述のようにして得られた包装フィルムの１００℃×１０分間の加熱収縮特性を実施例１と同様にして計測した。その結果を以下に示す。
ＭＤ方向：１２％
ＴＤ方向：１２％
【０１９２】
（第２の領域（出射側）の包装フィルム：プリズムシート形状付与包装フィルム）
次に、上記延伸作業前のポリエチレンナフタレートのフィルムに対して、９０°の頂角を有するプリズム形状が面内に並んだパターンを熱転写により成形した。その後、上述の逐次２軸延伸を同様に行い、プリズム形状を有する包装フィルムを得た。
【０１９３】
（第１の領域（入射側）：包装フィルムの作製）
次に、上述のプリズム形状が付与された熱収縮性フィルムを用いて、実施例１と同様にして、拡散板および拡散シートを、プリズム形状が付与された包装フィルムと、プリズム形状が付与されていないフィルムとにより挟み込み、端部を溶着することにより接合し、溶断した。
【０１９４】
次に、この包装フィルムの４つの角部分を開放するようにコーナーカットを施した。次に、１２０℃に加温された送風乾燥機中にて加熱し、包装フィルムをシュリンク・冷却して、支持体である拡散板と、光学素子である拡散シートおよびレンズシートとを密着させた。以上により、レンズ機能を光出射側の表面に有する光学素子包装体が得られた。
【０１９５】
次に、上述のようにして得られた光学素子包装体の信頼性評価を実施例１と同様にして行った。その結果、反りの発生はなかった。
【０１９６】
次に、上述のようにして得られた光学素子包装体上に市販の拡散シートを乗せて実施例１と同様のＴＶ実装評価を行った。光学シートによるたわみによる輝度ムラは確認されず、非常に良好な画質が得られた。実施例１、実施例２では、内包されたレンズの指向性が強く僅かなたわみが輝度ムラを発生させていたと考えられるが、包装フィルムにレンズを設けることでテンションをもって実装されていることでレンズ体自体のたわみが解消されているものと考えられる。
【０１９７】
ここで、包装フィルムに光学機能層を設けることで界面ロスによる輝度低下を抑制しつつ、従来厚くしてたわみを抑制していた手法に対して、薄く全体にテンションをかけられることでたわみを改善できることがわかる。また、単体の光学フィルムの厚みが従来の４５０μｍに対して約３０〜５０μｍとすることによって軽量・薄型、材料費の削減させる効果も期待できることがわかる。
【０１９８】
（実施例４）
光学素子包装体の光出射側の表面に紫外線硬化樹脂を塗布し、この紫外線硬化樹脂に対して形状を転写する実施例について説明する。
【０１９９】
まず、拡散板と拡散シートとだけを包装フィルムにより包装する以外は実施例１と同様にして光学素子包装体を得た。次に、９０°のプリズム形状が平面上に並んだ透明なポリオレフィン系樹脂（日本ゼオン製  ゼオノア樹脂）の型を用意して、この表面にＵＶ樹脂（硬化後の屈折率１．５７）を塗布し、これを上記光学素子包装体の光出射面側へコロナ処理を施した面上に転写した後に、ＵＶ照射して硬化・型を剥離してプリズム形状を有する光学素子包装体を得た。これ以外のことは実施例３と同様である。
【０２００】
次に、上述のようにして得られた光学素子包装体の信頼性評価を実施例１と同様にして行った。その結果、反りの発生はなかった。
【０２０１】
次に、上述のようにして得られた光学素子包装体上に市販の拡散シートを乗せて実施例１と同様のＴＶ実装評価を行った。光学シートによるたわみによる輝度ムラは確認されず、非常に良好な画質が得られた。これも実施例３と同様に、包装フィルムにレンズを設けられ、テンションをもって実装されていることで、レンズ体自体のたわみが解消されているものと考えられる。
【０２０２】
【表１】
2008250327.tif 000003
【０２０３】
（実施例５）
液晶ＴＶのバックライトの光源であるＣＣＦＬの本数を２０本から１６本に減らし、ＣＣＦＬに対する印加電力を増して使用する実施例について説明する。
本実施例では、図４９に示すように、光学素子包装体２と光源１１との距離を距離Ｈ、光源１１間同士のピッチをピッチＰと定義する。
【０２０４】
まず、半径２００μｍの３２０μｍ幅分の円弧形状部が飛び出した形状と５μｍの平坦域が面内に周期的に繰り返された光制御フィルムを熱成形により作製した。このフィルムは、拡散板へ入射する光源量を均一化するためのものであり、厚さ３００μｍを有する。次に、この光制御フィルムを拡散板と第１の領域（光源側）の包装フィルムとの間に配設する以外のことは実施例２と同様にして光学素子包装体を得た。
【０２０５】
（信頼性評価）
次に、上述のようにして得られた光学素子包装体の信頼性評価を実施例１と同様にして行った。その結果、そりの発生はなかった。
【０２０６】
（ＴＶ実装評価）
次に、ソニー製４０インチの液晶ＴＶを準備し、そのバックライトのＣＣＦＬの本数を２０本から１６本に減らすとともに、ＣＣＦＬ間のピッチＰを広げてピッチＰを調整した。具体的には、２３．７ｍｍであったピッチＰ（ＣＣＦＬ：２０本）を、２９．３ｍｍ（ＣＣＦＬ：１６本）に広げた。このときの拡散板とＣＣＦＬ管の中心との距離であるＨは１４．５ｍｍであり、ピッチの変更をした以外は変えず使用した。次に、このバックライトに対して、上述のようにして得られた光学素子包装体を実装して実施例１と同様にしてＴＶ実装評価を行なった。その結果、光源ムラは確認されなかった。
【０２０７】
（比較例３）
光制御フィルム上に、拡散板、拡散シート、レンズシート、拡散シートを順次積層して光学素子積層体を得た。次に、この光学素子積層体を用いる以外は実施例５と同様にして、信頼性評価およびＴＶ実装評価を行った。その結果、光源ムラが確認された。
【０２０８】
（比較例４）
光制御フィルム上に、拡散板、拡散シート、レンズシート、拡散シートを順次積層して光学素子積層体を作製した。この光学素子積層体を用いる以外は実施例５と同様にして、信頼性評価およびＴＶ実装評価を行った。その結果、光源ムラが確認された。これは、拡散板と光源との間の光制御フィルムが包装フィルムにより密着されておらず、熱にて光制御フィルムが自由に変形したためと考えられる。
【０２０９】
（比較例５）
拡散板上の拡散シートを１枚から２枚に増やす以外のことは比較例３と同様にして、信頼性評価およびＴＶ実装評価を行った。その結果、ムラは改善されなかった。
【０２１０】
（比較例６）
拡散板上の拡散シートを２枚から３枚に増やす以外のことは比較例３と同様にして、信頼性評価およびＴＶ実装評価を行った。その結果、ムラは改善されなかった。
【０２１１】
（評価結果）
比較例３では、光源ムラが消えず、この光源ムラを抑制するために拡散シートを追加した比較例５、６でも、ムラは改善されないのに対して、光源上に設置した光制御フィルムを光学素子包装体に内包した実施例５では、光源ムラが改善されることがわかる。但し、前提として光学素子包装体が必要であり、単体で使用した際には、比較例４のように、光源から発生する熱エネルギーによって変形が生じて、結果として光源ムラが発生する。したがって、通常、拡散板の光出射面側に配設される光学素子類を拡散板と光源との間にも設置することが可能となり、従来にない光機能層を拡散板と光源との間に新たに設けることが可能になることがわかる。
【０２１２】
【表２】
2008250327.tif 000004
【０２１３】
以上の結果から、光学素子包装体を用いることにより、以下の効果が得られることが確認できた。
（１）従来タブらによって固定されていることにより発生していた熱膨張起因のたわみが解消される。大型サイズになるほどサイズと自重が増すためにタブは増加させていたがこの影響を改善できる。
（２）光学素子の機能を包装フィルムに付与することによって、包装フィルム自体の界面反射による輝度ロスを抑制し、置き換え前の光学機能層の薄型・軽量化が可能となる。
（３）光学機能層を設けた包装フィルムは、テンションにより平坦化が図られておりたわみなどによる輝度ムラの影響を改善できる。
（４）従来支持体となる拡散板の上に一方にしか配置できなかった光学素子類を、拡散板の両面に配置することが可能となり、新規光学設計が可能となる。例えば、光源制御フィルムなどを設けることにより、ダイレクトに光源制御が可能となり光源数の削減設計や、光源と拡散板らの距離を薄くできる設計などが可能となる。
（５）光学素子包装体の作製方法として、コーナー部分を開放する設計とすることにより、収縮角らが抑制でき、僅かなたわみらも解消させることが可能となる。
【０２１４】
以上、この発明の実施形態について具体的に説明したが、この発明は、上述の実施形態に限定されるものではなく、この発明の技術的思想に基づく各種の変形が可能である。
【０２１５】
例えば、上述の実施形態において挙げた数値はあくまでも例に過ぎず、必要に応じてこれと異なる数値を用いてもよい。
【０２１６】
また、上述の実施形態の各構成は、この発明の主旨を逸脱しない限り、互いに組み合わせることが可能である。
【０２１７】
また、上述の実施形態において、光学素子同士または光学素子と支持体とを、光学機能が損なわれないように一部を接合させてもよく、表示機能の劣化を抑える点から、端部に設けることが好ましい。
【０２１８】
また、上述の実施形態において、光学素子包装体が、ムラ消しフィルムをさらに設けるようにしてもよい。このムラ消しフィルムは、例えば支持体の入射面と包装部材との間に設けられる。
【０２１９】
また、上述の実施形態では、包装部材としてフィルム状またはシート状のものを用いる場合を例として説明したが、包装部材としてある程度の剛性を有するケースなどを用いるようにしてもよい。
【図面の簡単な説明】
【０２２０】
【図１】この発明の第４の実施形態による液晶表示装置の一構成例を示す概略図である
【図２】この発明の第４の実施形態による光学素子包装体の第１の構成例を示す斜視図である。
【図３】この発明の第４の実施形態における包装部材の接合部の第１の例を示す断面図である。
【図４】この発明の第４の実施形態における包装部材の接合部の第２の例を示す断面図である。
【図５】この発明の第４の実施形態による光学素子包装体の第２の構成例を示す斜視図である。
【図６】この発明の第４の実施形態による光学素子包装体の第３の構成例を示す斜視図である。
【図７】この発明の第４の実施形態による光学素子包装体の製造方法の一例について説明するための斜視図である。
【図８】この発明の第５の実施形態による光学素子積層体の一構成例を示す斜視図である。
【図９】この発明の第７の実施形態による光学素子包装体の一構成例を示す斜視図である。
【図１０】この発明の第７の実施形態による光学素子包装体の一構成を示す斜視図である。
【図１１】この発明の第８の実施形態による光学素子包装体の一構成例を示す斜視図である。
【図１２】この発明の第９の実施形態による光学素子積層体の一構成例を示す斜視図である。
【図１３】この発明の第１０の実施形態による光学素子積層体の一構成例を示す斜視図である。
【図１４】この発明の第１１の実施形態による光学素子包装体の一構成例を示す斜視図である。
【図１５】この発明の第１２の実施形態による光学素子包装体の第１の構成例を示す斜視図である。
【図１６】この発明の第１２の実施形態による光学素子包装体の第２の構成例を示す斜視図である。
【図１７】この発明の第１３の実施形態による光学素子包装体の第１の構成例を示す斜視図である。
【図１８】この発明の第１３の実施形態による光学素子包装体の第２の構成例を示す斜視図である。
【図１９】この発明の第１４の実施形態による光学素子包装体の第１の構成例を示す斜視図である。
【図２０】この発明の第１４の実施形態による光学素子包装体の第２の構成例を示す斜視図である。
【図２１】この発明の第１５の実施形態による光学素子包装体の一構成例を示す斜視図である。
【図２２】この発明の第１６の実施形態による光学素子包装体の一構成例を示す斜視図である。
【図２３】この発明の第１７の実施形態による光学素子包装体の一構成例を示す斜視図である。
【図２４】この発明の第１８の実施形態による光学素子包装体の一構成例を示す斜視図である。
【図２５】この発明の第１９の実施形態による光学素子包装体の一構成例を示す斜視図である。
【図２６】この発明の第２０の実施形態によるバックライトの一構成例を示す斜視図である。
【図２７】この発明の第２１の実施形態によるバックライトの一構成例を示す斜視図である。
【図２８】この発明の第２２の実施形態による光学素子包装体の第１の構成例を示す斜視図である。
【図２９】この発明の第２２の実施形態による光学素子包装体の第２の構成例を示す斜視図である。
【図３０】この発明の第２３の実施形態による液晶表示装置の一構成例を示す概略図である。
【図３１】従来の液晶表示装置の構成を示す概略図である。
【図３２】この発明の第１の実施形態による液晶表示装置の一構成例を示す概略図である。
【図３３】この発明の第１の実施形態による光学素子包装体の第１の構成例を示す斜視図である。
【図３４】この発明の第１の実施形態による光学素子包装体の第１の構成例を示す平面図および断面図である。
【図３５】この発明の第１の実施形態における包装部材の接合部の第１の例を示す断面図である。
【図３６】この発明の第１の実施形態における包装部材の接合部の第２の例を示す断面図である。
【図３７】この発明の第１の実施形態による光学素子包装体の第２の構成例を示す斜視図である。
【図３８】この発明の第１の実施形態による光学素子包装体の第３の構成例を示す斜視図である。
【図３９】この発明の第１の実施形態による光学素子包装体の製造方法の一例を説明するための工程図である。
【図４０】この発明の第１の実施形態による光学素子包装体の製造方法の一例を説明するための工程図である。
【図４１】この発明の第２の実施形態による液晶表示装置の一構成例を示す概略図である。
【図４２】この発明の第２の実施形態による光学素子包装体の一構成例を示す斜視図である。
【図４３】この発明の第２の実施形態による光学素子包装体の一構成例を示す平面図および断面図である。
【図４４】この発明の第３の実施形態による光学素子包装体の一構成例を示す概略図である。
【図４５】この発明の第３の実施形態によるバックライトの一構成例を示す平面図および断面図である。
【図４６】この発明の第３の実施形態による光学素子包装体の第１の構成例を示す平面図である。
【図４７】この発明の第３の実施形態による光学素子包装体の第２の構成例を示す平面図である。
【図４８】比較例１のバックライトの構成を示す斜視図および拡大図である。
【図４９】実施例５のバックライトの構成を示す概略図である。
【符号の説明】
【０２２１】
１    照明装置
２    光学素子包装体
３    液晶パネル
１１    光源
１２    反射板
１３    導光板
１４    ランプリフレクタ
１５    反射シート
２１    光学素子積層体
２２    包装部材
２３    支持体
２４    光学素子
２１ａ    溝
２１ｂ    角部
２２ａ    接合部
２２ｂ，２２ｃ    開口
２３ａ    拡散板
２３ｂ    収容部
２３ｃ    枠部
２３ｄ    保持部
２４ａ    拡散フィルム
２４ｂ    レンズフィルム
２４ｃ    反射型偏光子
２５    接合部
２６    構造体
２７    反射膜
２８    反射バンド
３１ａ，３２ａ    第１の包装部材
３１ｂ，３２ｂ    第２の包装部材
３３    加圧ローラ
３４    バックライトシャーシ
３５    支持部
３６    被支持部
３６ａ    孔部
３６ｂ    切り欠き溝部
【図１】
2008250327.tif 000005
【図２】
2008250327.tif 000006
【図３】
2008250327.tif 000007
【図４】
2008250327.tif 000008
【図５】
2008250327.tif 000009
【図６】
2008250327.tif 000010
【図７】
2008250327.tif 000011
【図８】
2008250327.tif 000012
【図９】
2008250327.tif 000013
【図１０】
2008250327.tif 000014
【図１１】
2008250327.tif 000015
【図１２】
2008250327.tif 000016
【図１３】
2008250327.tif 000017
【図１４】
2008250327.tif 000018
【図１５】
2008250327.tif 000019
【図１６】
2008250327.tif 000020
【図１７】
2008250327.tif 000021
【図１８】
2008250327.tif 000022
【図１９】
2008250327.tif 000023
【図２０】
2008250327.tif 000024
【図２１】
2008250327.tif 000025
【図２２】
2008250327.tif 000026
【図２３】
2008250327.tif 000027
【図２４】
2008250327.tif 000028
【図２５】
2008250327.tif 000029
【図２６】
2008250327.tif 000030
【図２７】
2008250327.tif 000031
【図２８】
2008250327.tif 000032
【図２９】
2008250327.tif 000033
【図３０】
2008250327.tif 000034
【図３１】
2008250327.tif 000035
【図３２】
2008250327.tif 000036
【図３３】
2008250327.tif 000037
【図３４】
2008250327.tif 000038
【図３５】
2008250327.tif 000039
【図３６】
2008250327.tif 000040
【図３７】
2008250327.tif 000041
【図３８】
2008250327.tif 000042
【図３９】
2008250327.tif 000043
【図４０】
2008250327.tif 000044
【図４１】
2008250327.tif 000045
【図４２】
2008250327.tif 000046
【図４３】
2008250327.tif 000047
【図４４】
2008250327.tif 000048
【図４５】
2008250327.tif 000049
【図４６】
2008250327.tif 000050
【図４７】
2008250327.tif 000051
【図４８】
2008250327.tif 000052
【図４９】
2008250327.tif 000053